(57)【特許請求の範囲】
【請求項１】
自己組織化ネットワークの分散更新のための方法であって、前記方法は基地局によって実行され、
前記基地局において収集された測定データから生成されたカバレッジ報告を、前記基地局の送信構成要素を介してネットワークエンティティに送信することと、ここにおいて、前記基地局において収集された前記測定データは、１つまたは複数の基地局と通信状態にある１つまたは複数のユーザ機器（ＵＥ）から前記基地局によって受信され、前記基地局は、前記１つまたは複数の基地局のうちの１つであり、
前記ネットワークエンティティから、前記基地局の１つまたは複数のネットワークパラメータに関連するフィードバックを受信することと、ここにおいて、前記ネットワークエンティティから受信される前記フィードバックは、前記１つまたは複数の基地局から前記ネットワークエンティティに送信される前記カバレッジ報告に少なくとも基づいて、前記ネットワークエンティティにおいて決定され、前記ネットワークエンティティから受信される前記フィードバックは、前記１つまたは複数のネットワークパラメータの最小値を備える、
前記ネットワークエンティティから受信される前記フィードバックと、前記基地局におけるローカル情報とに基づいて、前記基地局において前記１つまたは複数のネットワークパラメータを前記最小値以上の値に更新することと、前記ローカル情報は、前記基地局においてキャンプしている前記１つまたは複数のＵＥの数と、前記基地局にキャンプオンしている前記１つまたは複数のＵＥのロケーションとのうちの少なくとも１つを備える、
を備える方法。
【請求項２】
前記１つまたは複数のネットワークパラメータは、前記基地局の送信電力、前記基地局のアンテナダウンチルト、および周波数再利用係数のうちの少なくとも１つを備える、請求項１に記載の方法。
【請求項３】
前記１つまたは複数のネットワークパラメータに関する前記フィードバックは、さらに、前記１つまたは複数のネットワークパラメータの最大値、および範囲のうちの少なくとも１つを備える、請求項１に記載の方法。
【請求項４】
前記１つまたは複数のネットワークパラメータに関する前記最小値は、前記１つまたは複数の基地局から送信される前記カバレッジ報告に少なくとも基づいて、前記自己組織化ネットワークにおいてカバレッジギャップを検出することに応答して前記ネットワークエンティティによって決定される、請求項１に記載の方法。
【請求項５】
前記基地局の送信電力を、前記最小値と、前記基地局における前記ローカル情報とに基づいた値に設定することをさらに備える、請求項２に記載の方法。
【請求項６】
前記基地局において収集された前記測定データは、前記基地局に対する前記１つまたは複数のＵＥの経路損失を備える、請求項５に記載の方法。
【請求項７】
前記基地局における前記ローカル情報に基づいて前記１つまたは複数のネットワークパラメータを更新することは、パイロット汚染、呼の失敗、およびハンドオーバの失敗のうちの１つまたは複数に関する、前記基地局における情報に基づいて、前記１つまたは複数のネットワークパラメータを更新することを含む、請求項１に記載の方法。
【請求項８】
自己組織化ネットワークの分散更新のための装置であって、前記装置は、基地局に備えられ、
前記基地局において収集された測定データから生成されたカバレッジ報告をネットワークエンティティに送信するための手段と、ここにおいて、前記基地局において収集された前記測定データは、１つまたは複数の基地局と通信状態にある１つまたは複数のユーザ機器（ＵＥ）から前記基地局によって受信され、前記基地局は、前記１つまたは複数の基地局のうちの１つであり、
前記ネットワークエンティティから、前記基地局の１つまたは複数のネットワークパラメータに関連するフィードバックを受信するための手段と、ここにおいて、前記ネットワークエンティティから受信される前記フィードバックは、前記１つまたは複数の基地局から前記ネットワークエンティティに送信される前記カバレッジ報告に少なくとも基づいて、前記ネットワークエンティティにおいて決定され、前記ネットワークエンティティから受信される前記フィードバックは、前記１つまたは複数のネットワークパラメータの最小値を備える、
前記ネットワークエンティティから受信される前記フィードバックと、前記基地局におけるローカル情報とに基づいて、前記基地局において前記１つまたは複数のネットワークパラメータを前記最小値以上の値に更新するための手段と、前記ローカル情報は、前記基地局においてキャンプしている前記１つまたは複数のＵＥの数と、前記基地局にキャンプオンしている前記１つまたは複数のＵＥのロケーションとのうちの少なくとも１つを備える、
を備える装置。
【請求項９】
前記１つまたは複数のネットワークパラメータは、前記基地局の送信電力、前記基地局のアンテナダウンチルト、および周波数再利用係数のうちの少なくとも１つを備える、請求項８に記載の装置。
【請求項１０】
前記１つまたは複数のネットワークパラメータに関する前記フィードバックは、さらに、前記１つまたは複数のネットワークパラメータの最大値、および範囲のうちの少なくとも１つを備える、請求項８に記載の装置。
【請求項１１】
前記１つまたは複数のネットワークパラメータに関する前記最小値は、前記１つまたは複数の基地局から送信される前記カバレッジ報告に少なくとも基づいて、前記自己組織化ネットワークにおいてカバレッジギャップを検出することに応答して前記ネットワークエンティティによって決定される、請求項８に記載の装置。
【請求項１２】
前記基地局の送信電力を、前記最小値と、前記基地局における前記ローカル情報とに基づいた値に設定するための手段をさらに備える、請求項９に記載の装置。
【請求項１３】
前記基地局において収集された前記測定データは、前記基地局に対する前記１つまたは複数のＵＥの経路損失を備える、請求項１２に記載の装置。
【請求項１４】
自己組織化ネットワークの分散更新のためのコンピュータプログラムを記憶するコンピュータ可読記憶媒体であって、前記コンピュータプログラムは、
基地局において収集された測定データから生成されたカバレッジ報告を、前記基地局の送信構成要素を介してネットワークエンティティに送信することと、ここにおいて、前記基地局において収集された前記測定データは、１つまたは複数の基地局と通信状態にある１つまたは複数のユーザ機器（ＵＥ）から前記基地局によって受信され、前記基地局は、前記１つまたは複数の基地局のうちの１つであり、
前記ネットワークエンティティから、前記基地局の１つまたは複数のネットワークパラメータに関連するフィードバックを受信することと、ここにおいて、前記ネットワークエンティティから受信される前記フィードバックは、前記１つまたは複数の基地局から前記ネットワークエンティティに送信される前記カバレッジ報告に少なくとも基づいて、前記ネットワークエンティティにおいて決定され、前記ネットワークエンティティから受信される前記フィードバックは、前記１つまたは複数のネットワークパラメータの最小値を備える、
前記ネットワークエンティティから受信される前記フィードバックと、前記基地局におけるローカル情報とに基づいて、前記基地局において前記１つまたは複数のネットワークパラメータを前記最小値以上の値に更新することと、前記ローカル情報は、前記基地局においてキャンプしている前記１つまたは複数のＵＥの数と、前記基地局にキャンプオンしている前記１つまたは複数のＵＥのロケーションとのうちの少なくとも１つを備える、
を行うためにコンピュータによって実行可能なコードを備える、コンピュータ可読記憶媒体。
【請求項１５】
前記１つまたは複数のネットワークパラメータは、前記基地局の送信電力、前記基地局のアンテナダウンチルト、および周波数再利用係数のうちの少なくとも１つを備える、請求項１４に記載のコンピュータ可読記憶媒体。
【発明の詳細な説明】
【優先権の主張】
【０００１】
[0001]  追加的に、本願は、本願の譲受人に譲渡され、参照によって本明細書に明確に組み込まれる、２０１３年１０月１日に出願された「Apparatus and Method for Distributed Optimization of a Self Organizing Network」と題する特許仮出願第６１／８８５，３５５の優先権を主張する。
【背景技術】
【０００２】
[0002]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００３】
[0003]  これらの多元接続技術は、異なるワイヤレスデバイスが都市、国家、地域、さらには地球規模で通信することを可能にする共通プロトコルを提供するために、様々な電気通信規格に採用されている。新興の電気通信規格の例は、ロングタームエボリューション（ＬＴＥ（登録商標））である。ＬＴＥは、第３世代パートナーシッププロジェクト（３ＧＰＰ（登録商標））によって発表されたユニバーサルモバイル電気通信システム（ＵＭＴＳ）のモバイル規格の拡張セットである。これは、スペクトル効率を改善することによってモバイルブロードバンドインターネットアクセスをより快適にサポートし、コストを下げ、サービスを向上させ、新たなスペクトラムを利用し、ダウンリンク（ＤＬ）上でＯＦＤＭＡを、アップリンク（ＵＬ）上でＳＣ−ＦＤＭＡを使用する、および多入力多出力（ＭＩＭＯ）アンテナ技術を使用する他のオープン規格と統合するように設計されている。しかしながら、モバイルブロードバンドアクセスに対する需要が増え続けるに伴い、ＬＴＥ技術における更なる改良の必要性が存在する。望ましくは、これらの改良は、これらの技術を用いる他の多元接続技術および電気通信規格に適用可能であるべきである。
【０００４】
[0004]  従来の基地局を補足するために、小さいカバレッジ基地局またはセルと呼ばれる、追加の制限付き電力または制限付きカバレッジ基地局は、よりロバストなワイヤレスカバレッジをモバイルデバイスに提供するように展開され得る。例えば、ワイヤレス中継局および低電力基地局（例えば、通称、ホームノードＢまたはホームｅＮＢ、これらは総称してＨ（ｅ）ＮＢと呼ばれる、フェムトノード、ピコノード、等と呼ばれる）は、漸進的な容量の増加、より豊富なユーザエクスペリエンス、建物内または他の特定の地理的カバレッジ、および／または同様のもののために展開され得る。そのような低電力または小さいカバレッジの（例えば、マクロネットワーク基地局またはセルと比べて）基地局は、バックホールリンクをモバイルオペレータのネットワークに提供することができるブロードバンド接続（例えば、デジタル加入者回線（ＤＳＬ）ルータ、ケーブルまたは他のモデム、等）を介してインターネットに接続され得る。ゆえに、例えば、小さいカバレッジの基地局は、ブロードバンド接続を介して１つまたは複数のデバイスにモバイルネットワークアクセスを提供するために、ユーザの家で展開され得る。そのような基地局の展開が無計画であるため、低電力基地局は、複数の局が互いの近くに展開される場所では互いに干渉し得る。
【０００５】
[0005]  例えば、小さいセルの送信電力管理は、容量およびカバレッジを改善するのに役立ち得、ＬＴＥにおける「Capacity and Coverage Optimization」フレームワークの一部として認識され、中央ネットワークサーバ内に位置し得る集中型自己組織化ネットワーク機能として３ＧＰＰにおいて定義される。集中型フレームワークは、ドライブテスト最小化（Minimization of Drive Test：ＭＤＴ）プロシージャを介して、ｅＮＢからの報告およびＵＥからの報告を含む、より広いエリアにわたっておよび幅広い数のソースから集められた情報から利益を享受し得る。集中型自己組織化ネットワーク機能は、それが、カバレッジを侵害することなく、干渉を低減させ、信号対干渉およびノイズ比（ＳＩＮＲ）を改善することができる場合、セルの送信電力を減らし得る。ＵＥからの測定報告が、ＳＩＮＲのトラッキングを可能にする一方で、このＭＤＴ機能は、中央ＳＯＮサーバがネットワーク内のカバレッジホールをトラッキングすることを可能にする。小さいセル密度でのより迅速な反応性およびより多くのスケーラビリティのために、集中型および分散型設計オプション間でのより良い調整が必要である。
【０００６】
[0006]  ゆえに、自己組織化ネットワークの分散更新のための方法および装置が望まれる。
【発明の概要】
【０００７】
[0007]  ここで、様々な態様が図面を参照して説明される。以下の説明では、説明の目的で、様々な具体的な詳細が、１つまたは複数の態様の徹底した理解を提供するために示される。しかしながら、このような態様（１つまたは複数）が、これら具体的な詳細なしに実施され得ることは明らかであり得る。以下は、１つまたは複数の態様の基本的な理解を提供するためにそのような態様の簡略化された概要を提示する。
【０００８】
[0008]  本開示は、自己組織化ネットワークの分散更新の例となる方法および装置を提示する。例えば、本開示は、基地局で収集されたデータの一部を、基地局の送信構成要素を介してネットワークエンティティに送信することと、ここにおいて、基地局で収集されたデータは、１つまたは複数の基地局と通信状態にある１つまたは複数のユーザ機器（ＵＥ）から、基地局によって受信され、この基地局は、１つまたは複数の基地局のうちの１つである、基地局の１つまたは複数のネットワークパラメータに関連するフィードバックを、ネットワークエンティティから受信することと、ここにおいて、ネットワークエンティティから受信されるフィードバックは、１つまたは複数の基地局からネットワークエンティティに送信されるデータの一部に少なくとも基づいて、ネットワークエンティティにおいて決定される、ネットワークエンティティから受信されるフィードバックと基地局におけるローカル情報とに基づいて基地局において１つまたは複数のネットワークパラメータを更新することとを行うための例となる方法を提示する。
【０００９】
[0009]  追加の態様では、自己組織化ネットワークの分散更新のための装置が開示される。例えば、装置は、基地局で収集されたデータの一部を、ネットワークエンティティに送信するための手段と、ここにおいて、基地局で収集されたデータは、１つまたは複数の基地局と通信状態にある１つまたは複数のユーザ機器（ＵＥ）から、基地局によって受信され、この基地局は、１つまたは複数の基地局のうちの１つである、基地局の１つまたは複数のネットワークパラメータに関連するフィードバックを、ネットワークエンティティから受信するための手段と、ここにおいて、ネットワークエンティティから受信されるフィードバックは、１つまたは複数の基地局からネットワークエンティティに送信されるデータの一部に少なくとも基づいて、ネットワークエンティティにおいて決定される、ネットワークエンティティから受信されるフィードバックと基地局におけるローカル情報とに基づいて基地局において１つまたは複数のネットワークパラメータを更新するための手段とを含み得る。
【００１０】
[0010]  さらなる態様では、自己組織化ネットワークの分散更新のためのコンピュータプログラム製品が開示される。例えば、コンピュータプログラム製品は、基地局で収集されたデータの一部を、基地局の送信構成要素を介してネットワークエンティティに送信することと、ここにおいて、基地局で収集されたデータは、１つまたは複数の基地局と通信状態にある１つまたは複数のユーザ機器（ＵＥ）から、基地局によって受信され、この基地局は、１つまたは複数の基地局のうちの１つである、基地局の１つまたは複数のネットワークパラメータに関連するフィードバックを、ネットワークエンティティから受信することと、ここにおいて、ネットワークエンティティから受信されるフィードバックは、１つまたは複数の基地局からネットワークエンティティに送信されるデータの一部に少なくとも基づいて、ネットワークエンティティにおいて決定される、ネットワークエンティティから受信されるフィードバックとおよび基地局におけるローカル情報とに基づいて基地局において１つまたは複数のネットワークパラメータを更新することとを行うためにコンピュータによって実行可能なコードを備えたコンピュータ可読媒体を含み得る。
【００１１】
[0011]  さらに、本開示は、自己組織化ネットワークの分散更新のための装置を提示する。例えば、装置は、基地局で収集されたデータの一部をネットワークエンティティに送信するデータ送信構成要素と、ここにおいて、基地局で収集されたデータは、１つまたは複数の基地局と通信状態にある１つまたは複数のユーザ機器（ＵＥ）から、基地局によって受信され、この基地局は、１つまたは複数の基地局のうちの１つである、基地局の１つまたは複数のネットワークパラメータに関連するフィードバックを、ネットワークエンティティから受信するフィードバック受信構成要素と、ここにおいて、ネットワークエンティティから受信されるフィードバックは、１つまたは複数の基地局からネットワークエンティティに送信されるデータの一部に少なくとも基づいて、ネットワークエンティティにおいて決定される、ネットワークエンティティから受信されるフィードバックと基地局におけるローカル情報とに基づいて基地局において１つまたは複数のネットワークパラメータを更新するパラメータ更新構成要素とを含み得る。
【００１２】
[0012]  前述した目的および関連する目的を達成するために、１つまたは複数の態様は、以下に十分に説明され、かつ特許請求の範囲において具体的に示される特徴を備える。以下の説明および添付の図面は、１つまたは複数の態様のうちのある特定の実例となる態様を詳細に示す。しかしならが、これらの態様は、様々な態様の原理が用いられ得る様々な方法のほんの一部しか示さず、説明される態様は、そのような態様およびそれらの等化物のすべてを含むことが予期される。
【図面の簡単な説明】
【００１３】
【図１】[0013]  図１は、本明細書に示される様々な態様に係る、ワイヤレス通信システムの例示である。
【図２】[0014]  図２は、本明細書で説明される様々なシステムおよび方法と併用され得るワイヤレスネットワーク環境の例示である。
【図３】[0015]  図３は、ネットワーク環境内でのアクセスポイント基地局の展開を可能にする通信システムを例示する。
【図４】[0016]  図４は、本明細書のある態様に係る、分散型カバレッジ最適化を容易にする環境の概観である。
【図５】[0017]  図５は、本明細書のある態様に係る、分散型カバレッジ最適化を容易にする自己最適化ユニットのブロック図を例示する。
【図６】[0018]  図６は、ある態様に係る、分散型カバレッジ最適化を達成する電気的な構成要素の結合の例示である。
【図７】[0019]  図７は、本明細書の態様に係る、自己最適化を行うための方法論を例示するフローチャートである。
【図８】[0020]  図８は、本明細書の態様に係る、カバレッジ報告を広めるための方法論を例示するフローチャートである。
【図９】[0021]  図９は、本開示の態様における、例となるワイヤレスシステムを例示するブロック図である。
【図１０】[0022]  図１０は、本明細書で説明される様々な態様に係る、例となる分散更新マネジャを例示するブロック図である。
【図１１】[0023]  図１１は、本明細書で説明される様々な態様に係る、分散更新のための方法の例を例示するフロー図である。
【図１２】[0024]  図１２は、本明細書で説明される様々な態様に係る、電気的な構成要素の論理グルーピングの例を例示するブロック図である。
【図１３】[0025]  図１３は、本明細書で説明される態様に係る、分散型カバレッジ最適化を容易にするネットワークの例を例示する。
【図１４】[0026]  図１４は、本明細書で説明される様々な態様に係る、実装される通信システムの例の例示である。
【図１５】[0027]  図１５は、本明細書で説明される様々な態様に係る、基地局の例の例示である。
【図１６】[0028]  図１６は、本明細書で説明される様々な態様に係る、実装されるワイヤレス端末の例の例示である。
【発明を実施するための形態】
【００１４】
[0029]  同じ参照数字が全体を通して同じ要素を表すために使用される図面を参照して様々な態様がここから説明される。以下の説明では、説明の目的で、様々な具体的な詳細が、１つまたは複数の態様の徹底した理解を提供するために示される。しかしながら、このような態様（１つまたは複数）が、これら具体的な詳細なしに実施され得ることは明らかであり得る。他の事例では、１つまたは複数の態様の説明を容易にするために周知の構造およびデバイスはブロック図形式で示される。
【００１５】
[0030]  ある態様では、本開示は、自己組織化ネットワークの分散更新のための方法および装置を提供する。例えば、基地局は、この基地局および／または隣接基地局と通信状態にあるＵＥからデータを収集し得る。基地局は、このデータの一部（例えば、集計されたサンプル（aggregated sample）または報告）をネットワークエンティティに送信し得る。ある態様では、ネットワークエンティティは、基地局の自己組織化ネットワークにおいて１つまたは複数の基地局からそのような情報を受信し得る。ネットワークエンティティは、基地局（および他の基地局）から受信されたデータに基づいて、基地局に関するフィードバックを決定し、最小値、最大値、および／または値の範囲を基地局に送信し得る。例えば、ネットワークエンティティは、基地局の送信電力を少なくとも２００ｍＷに更新するために、フィードバックを基地局に提供し得る。ネットワークエンティティから受信されるフィードバック（例えば、送信電力を少なくとも２００ｍＷに更新するための）に加えて、基地局は、基地局における利用可能なローカル情報を使用し得、送信電力を、ある値、例えば２２０ｍＷ、に更新し得る。
【００１６】
[0031]  ここで図１を参照すると、本明細書に提示される様々な態様に係る、ワイヤレス通信システム１００が例示される。システム１００は、複数のアンテナグループを含むことができる基地局１０２を備える。例えば、１つのアンテナグループは、アンテナ１０４および１０６を含むことができ、別のグループは、アンテナ１０８および１１０を含むことができ、さらなるグループは、アンテナ１１２および１１４を含むことができる。アンテナグループごとに２つのアンテナが例示される。しかしながら、アンテナグループごとにより多い数またはより少ない数のアンテナが利用されることができる。基地局１０２は、追加的に、送信機チェーンおよび受信機チェーンを含むことができ、それら各々は、当業者によって認識されるように、信号送信および受信に関係する複数の構成要素（例えば、プロセッサ、変調器、マルチプレクサ、復調器、デマルチプレクサ、アンテナ、等）を備え得る。
【００１７】
[0032]  基地局１０２は、アクセス端末１１６およびアクセス端末１２２のような１つまたは複数のアクセス端末と通信することができる。しかしながら、基地局１０２が、実質的に、アクセス端末１１６および１２２に類似した任意の数のアクセス端末と通信することができることは認識され得る。アクセス端末１１６および１２２は、例えば、セルラ電話、スマートフォン、ラップトップ、ハンドヘルド通信デバイス、ハンドヘルドコンピューティングデバイス、衛星無線機、全世界測位システム、ＰＤＡ、および／または、ワイヤレス通信システム１００を通して通信するための任意の他の適切なデバイスであり得る。描写されるように、アクセス端末１１６はアンテナ１１２および１１４と通信状態にあり、アンテナ１１２および１１４は、順方向リンク１１８上でアクセス端末１１６に情報を送信し、逆方向リンク１２０上でアクセス端末１１６から情報を受信する。さらに、アクセス端末１２２はアンテナ１０４および１０６と通信状態にあり、アンテナ１０４および１０６は、順方向リンク１２４上でアクセス端末１２２に情報を送信し、逆方向リンク１２６上でアクセス端末１２２から情報を受信する。周波数分割複信（ＦＤＤ）システムでは、例えば、順方向リンク１１８は、逆方向リンク１２０によって使用されるものとは異なる周波数帯域を利用することができ、順方向リンク１２４は、逆方向リンク１２６によって用いられるものとは異なる周波数帯域を用いることができる。さらに、時分割複信（ＴＤＤ）システムでは、順方向リンク１１８および逆方向リンク１２０は、共通の周波数帯域を利用することができ、順方向リンク１２４および逆方向リンク１２６は、共通の周波数帯域を利用することができる。
【００１８】
[0033]  各アンテナグループおよび／またはそれらが通信するように指定されたエリアは、基地局１０２のセクタと呼ばれ得る。例えば、アンテナグループは、基地局１０２によってカバーされるエリアのセクタにおいてアクセス端末に通信するように指定され得る。順方向リンク１１８および１２４を通した通信では、基地局１０２の送信アンテナは、ビームフォーミングを使用して、アクセス端末１１６および１２２に関する、順方向リンク１１８および１２４の信号対ノイズ比を改善することができる。また、基地局１０２がビームフォーミングを利用して関連カバレッジ中にランダムに分散したアクセス端末１１６および１２２に送信する間、基地局が単一のアンテナを通してすべてのアクセス端末に送信することと比べて、隣接基地局内のアクセス端末は干渉の影響が少ないだろう。
【００１９】
[0034]  図２は、例となるワイヤレス通信システム２００を示す。ワイヤレス通信システム２００は、簡潔さのために、１つの基地局２１０および１つのアクセス端末またはユーザ機器（ＵＥ）２５０を描写する。しかしながら、システム２００が、２以上の基地局および／または２以上のアクセス端末を含むことができること、ここにおいて、追加の基地局および／またはアクセス端末は、以下に説明される例となる基地局２１０およびアクセス端末２５０に実質的に類似し得るかまたはそれらとは異なり得る、は認識されるべきである。加えて、基地局２１０および／またはアクセス端末２５０が、それらの間のワイヤレス通信を容易にするために本明細書で説明されるシステムおよび／または方法を用いることができることは認識されるべきである。
【００２０】
[0035]  基地局２１０において、多数のデータストリームのためのトラフィックデータが、データソース２１２から送信（ＴＸ）データプロセッサ２１４へと提供される。ある例によれば、各データストリームは、それぞれのアンテナを通して送信され得る。ＴＸデータプロセッサ２１４は、トラフィックデータストリームを、そのデータストリームのために選択された特定のコーディングスキームに基づいて、フォーマット、コーディング、およびインターリーブし、コーディングされたデータを提供する。
【００２１】
[0036]  各データストリームのためのコーディングされたデータは、直交周波数分割多重化（ＯＦＤＭ）技法を使用してパイロットデータと多重化され得る。追加的または代替的に、パイロットシンボルは、周波数分割多重化（ＦＤＭ）、時分割多重化（ＴＤＭ）、または符号分割多重化（ＣＤＭ）され得る。パイロットデータは、典型的には、既知の方法で処理され、チャネル応答を推定するためにアクセス端末２５０において使用され得る、既知のデータパターンである。次いで、各データストリームについての多重化されたパイロットおよびコーディングされたデータは、そのデータストリームのために選択された特定の変調スキーム（例えば、二位相偏移変調（ＢＰＳＫ）、直交位相偏移変調（ＱＰＳＫ）、Ｍ相位偏移変調（Ｍ−ＰＳＫ）、またはＭ値直交振幅変調（Ｍ−ＱＡＭ）、等）に基づいて変調（例えば、シンボルマッピング）され得、変調シンボルが提供される。各データストリームのデータレート、コーディング、および変調は、プロセッサ２３０によって行われるまたは提供される命令によって決定され得る。
【００２２】
[0037]  次いで、それらデータストリームのための変調シンボルは、それらの変調シンボルをさらに処理し得る（例えば、ＯＦＤＭのために）ＴＸ ＭＩＭＯプロセッサ２２０に提供され得る。次いで、ＴＸ ＭＩＭＯプロセッサ２２０は、ＮＴ個の変調シンボルストリームをＮＴ個の送信機（ＴＭＴＲ）２２２ａ〜２２２ｔに提供する。様々な態様では、ＴＸ ＭＩＭＯプロセッサ２２０は、データストリームのシンボルと、シンボルの送信元であるアンテナとにビームフォーミング重みを適用する。
【００２３】
[0038]  各送信機２２２は、それぞれのシンボルストリームを受信および処理して、１つまたは複数のアナログ信号を提供し、これらのアナログ信号をさらに調整（例えば、増幅、フィルタリング、およびアップコンバート）して、ＭＩＭＯチャネル上での送信に適した変調信号を提供する。さらに、送信機２２２ａ〜２２２ｔからのＮＴ個の変調信号は、それぞれＮＴ個のアンテナ２２４ａ〜２２４ｔから送信される。
【００２４】
[0039]  アクセス端末２５０において、送信された変調信号は、ＮＲ個のアンテナ２５２ａ〜２５２ｒによって受信され、各アンテナ２５２からの受信された信号は、それぞれの受信機（ＲＣＶＲ）２５４ａ〜２５４ｒに提供される。各受信機２５４は、それぞれの信号を調整（例えば、フィルタリング、増幅、およびダウンコンバート）し、調整された信号をデジタル化してサンプルを提供し、これらサンプルをさらに処理して、対応する「受信された」シンボルストリームを提供する。
【００２５】
[0040]  ＲＸデータプロセッサ２６０は、ＮＲ個の受信機２５４からＮＲ個の受信されたシンボルストリームを受信し、特定の受信機処理技法に基づいて処理して、ＮＴ個の「検出された」シンボルストリームを提供することができる。ＲＸデータプロセッサ２６０は、検出された各シンボルストリームを復調、デインターリーブ、復号し、データストリームについてのトラフィックデータを復元する。ＲＸデータプロセッサ２６０による処理は、基地局２１０のＴＸ ＭＩＭＯプロセッサ２２０およびＴＸデータプロセッサ２１４によって行われるものと相補的である。
【００２６】
[0041]  プロセッサ２７０は、上述したように、どの利用可能な技法を使用するかを周期的に決定することができる。さらに、プロセッサ２７０は、行列インデックス部およびランク値部を備える逆方向リンクメッセージを公式化することができる。
【００２７】
[0042]  逆方向リンクメッセージは、通信リンクおよび／または受信されたデータストリームに関する様々なタイプの情報を備え得る。逆方向リンクメッセージは、データソース２３６からの多数のデータストリームについてのトラフィックデータを受け取るＴＸデータプロセッサ２３８によって処理され、変調器２８０によって変調され、送信機２５４ａ〜２５４ｒによって調整され、基地局２１０へと返信され得る。
【００２８】
[0043]  基地局２１０において、アクセス端末２５０からの変調信号は、アンテナ２２４によって受信され、受信機２２２によって調整され、復調器２４０によって復調され、ＲＸデータプロセッサ２４２によって処理されて、アクセス端末２５０によって送信された逆方向リンクメッセージが抽出される。さらに、プロセッサ２３０は、ビームフォーミング重みを決定するためにどのプリコーディング行列を使用するかを決定するために、抽出されたメッセージを処理することができる。
【００２９】
[0044]  プロセッサ２３０および２７０は、それぞれ基地局２１０およびアクセス端末２５０における動作を指示（例えば、制御、調整、管理、等）することができる。それぞれのプロセッサ２３０および２７０は、プログラムコードおよびデータを記憶するメモリ２３２および２７２に結合され得る。プロセッサ２３０および２７０はまた、アップリンクおよびダウンリンクについて、それぞれ周波数およびインパルス応答推定値を導出するために計算を行うことができる。
【００３０】
[0045]  図３は、ネットワーク環境内でのアクセスポイント基地局の展開を可能にする例となる通信システムを例示する。図３に示されるように、システム３００は、複数のアクセスポイント基地局、あるいは代替的に、例えば、各々、対応する小規模ネットワーク環境に、例えば、１つまたは複数のユーザレジデンス３３０に設置されており、関連性があるユーザ機器（ＵＥ）またはモバイル局３２０だけでなく関連性のないものにもサービス提供するように構成されたＨＮＢ３１０のような、フェムトセル、ホームノードＢユニット（ＨＮＢ）、ホーム発展型ノードＢユニット（ＨｅＮＢ）を含む。各ＨＮＢ３１０は、ＤＳＬルータ（図示せず）を、または代替的に、ケーブルモデム（図示せず）を介してインターネット３４０およびモバイルオペレータコアネットワーク３５０にさらに結合される。
【００３１】
[0046]  本明細書は、一般に、分散型カバレッジ最適化を容易にするための様々な態様に向けられている。具体的には、自動分散型ＣＣＯを目的とした情報交換概念、交換されている情報のセマンティクス、および交換されるべき情報を計算するための方法に向けられた態様が開示される。この目的を達成するために、本明細書のある態様に係る、分散型カバレッジ最適化を容易にする例となるシステムの概観が図４に提供される。例示されるように、システム４００は、複数の基地局４１０、４２０、４３０を含み、それらはそれぞれ、ワイヤレス端末４１２、４２２、４３２にサービス提供する。この特定の態様の場合、ＣＣＯの目的で、基地局４１０、４２０、４３０の間で情報が交換される。ある態様では、基地局４１０、４２０、４３０は、それらがペアレントする（parent）セルにおいて、長期カバレッジ統計値についての情報を直接交換する。そのような態様の範囲内で、これら統計値は、基地局４１０、４２０、４３０によって、および／または、基地局４１０、４２０、４３０がペアレントしているセルに接続されているワイヤレス端末４１２、４２２、４３２によって収集された測定値を反映する。特定の態様では、情報は、Ｘ２ ＡＰ（３ＧＰＰ ＴＳ ３６.４２３）またはＳ１ ＡＰ（ＴＳ ３６.４２１）のような標準化プロトコルを使用してｅＮＢ間で交換されるべき特定のメッセージ（例えば、ＣＳＩ−カバレッジ統計情報、これは、本明細書で使用される総称である）へとパックされる。ここで、例えば、周期的に（この場合、期間はネットワークオペレータによって設定可能であり得る）、基地局による要求ごとに、および／または、特定の設定可能なイベントによってトリガされたときに（例えば、セル内の負荷がある特定の閾値を超えたときに、等）、任意の複数のメカニズムを介して情報が交換され得ることは留意されるべきである。
【００３２】
[0047]  セマンティクスに関して、ｅＮＢが、任意の複数の特性を反映するカバレッジ関連統計値を交換することができることは留意されるべきである。例えば、ある態様では、そのような統計値は、セルにおけるダウンリンク／アップリンクカバレッジ品質、受信ダウンリンク／アップリンク電力、受信ダウンリンク／アップリンク干渉電力、特定の隣接からの受信ダウンリンク干渉電力、ＵＥ送信電力レベル、セルジオメトリ、および／またはセルにおける経路損失を反映し得る。
【００３３】
[0048]  さらなる態様では、カバレッジ関連統計値は、内部ｅＮＢ測定値および／またはＵＥ測定報告メッセージ（ＭＲＭ）を使用して計算され、ここにおいて、これら統計値が計算される時間スケールは、ネットワークオペレータによって設定され得る。特定の態様では、カバレッジ関連統計値は、例えば、ＵＥ地理的分布、サービングセルおよび隣接セルの負荷、および／またはＵＥモビリティパターンにおける変動を含む、任意の複数の変動をカバーするために、十分に長い時間期間にわたって計算される。
【００３４】
[0049]  ここで、ｅＮＢ間で交換されるカバレッジ統計値を計算するための方法が標準化され得ることに留意されるべきである。例えば、交換される各統計値の定義が標準化され得る。しかしながら、別のアプローチは、カバレッジ統計値を計算するための方法を標準化させないことである。例えば、平均セルジオメトリが、０から１の間の数と定義され得、ここでは、より低い数が、より低いジオメトリに対応付けられる。この態様の場合、次いで、ｅＮＢは単に、その平均ジオメトリを、それがどのように計算されたかを示すことなく、０．５と示すことができる。同様に、セルｉをペアレントしているｅＮＢは、セルｊからセルｉにおいて受ける干渉のレベルを説明するために、干渉係数ＩＣｉ，ｊを、それがどのように計算されたかを指定することなく、通知することができる（例えば、ＩＣｉ，ｊ＝０．５）。このケースでは、標準化され得るものは、各統計値のセマンティクス（例えば、意味）とその範囲（例えば、０から１）である。
【００３５】
[0050]  上述したように、ｅＮＢは、内部測定値および／またはＵＥ ＭＲＭからカバレッジ統計値を計算することができる。サービングセルおよび／または隣接セルにより、ｅＮＢは、信号品質の測定値を収集および報告するように、そのｅＮＢによってサービス提供されるＵＥを構成することができる。ある態様では、ＵＥは、サービングセルだけでなく隣接セルの信号品質を測定および報告することができる。例えば、ｅＮＢは、サービングセルおよび／または隣接セルの基準信号受信電力（ＲＳＲＰ）レベル、サービングセルおよび／または隣接セルの基準信号受信品質（ＲＳＲＱ）レベル、無線信号強度インジケータ（ＲＳＳＩ）レベル、ＵＥ送信電力レベル、特定のプロトコル（例えば、３ＧＰＰ ＴＳ ３６.４２３）によって指定された他の測定値を測定および報告するようにＵＥを構成することができる。ここで、測定報告は、周期的におよび／またはトリガされて構成され得ることもまた留意されるべきである。
【００３６】
[0051]  次に図５を参照すると、ある態様に係る、分散型カバレッジ最適化を容易にする自己最適化ユニットのブロック図が提供される。示されるように、自己最適化ユニット５００は、プロセッサ構成要素５１０、メモリ構成要素５２０、通信構成要素５３０、最適化構成要素５４０、計算構成要素５５０、およびトリガ構成要素５６０を含み得る。ここで、例えば、自己最適化ユニット５００が、基地局（例えば、ｅＮＢ）に、または、アクセスポイント基地局（例えば、ＨｅＮＢ）に存在し得ることは認識されるべきである。
【００３７】
[0052]  一態様では、プロセッサ構成要素５１０は、任意の複数の機能を行うことに関するコンピュータ可読命令を実行するように構成される。プロセッサ構成要素５１０は、自己最適化ユニット５００から通信されるべき情報を分析すること、および／または、メモリ構成要素５２０、通信構成要素５３０、最適化構成要素５４０、計算構成要素５５０、および／またはトリガ構成要素５６０によって利用され得る情報を生成すること専用の単一のプロセッサまたは複数のプロセッサであり得る。追加的または代替的に、プロセッサ構成要素５１０は、自己最適化ユニット５００の１つまたは複数の構成要素を制御するように構成され得る。
【００３８】
[0053]  別の態様では、メモリ構成要素５２０は、プロセッサ構成要素５１０に結合され、プロセッサ構成要素５１０によって実行されるコンピュータ可読命令を記憶するように構成される。メモリ構成要素５２０はまた、通信構成要素５３０、最適化構成要素５４０、計算構成要素５５０、および／またはトリガ構成要素５６０のうちのいずれかによって生成されたデータを含む任意の複数の他のタイプのデータを記憶するように構成され得る。メモリ構成要素５２０は、多数の異なる構成で構成され得、それには、ランダムアクセスメモリ、バッテリ支援型（battery-backed）メモリ、ハードディスク、磁気テープ、等が含まれる。圧縮および自動バックアップ（例えば、独立ドライブの冗長アレイ構成の使用）のような、様々な特徴もまたメモリ構成要素５２０上に実装され得る。
【００３９】
[0054]  別の態様では、通信構成要素５３０もまた、プロセッサ構成要素５１０に結合され、自己最適化ユニット５００を外部エンティティとインターフェースするように構成される。例えば、通信構成要素５３０は、外部エンティティからカバレッジ関連測定値を受信し、計算構成要素５５０によって生成されたカバレッジ報告を報告するように構成され得る。ここで、そのような外部エンティティが、ワイヤレス端末および／または基地局を含み得ること、ここにおいて、通信構成要素は、特定の通信を容易にするように構成される、は留意されるべきである。例えば、ワイヤレス端末に関して、通信構成要素５３０は、特定のカバレッジ関連測定値を収集するようにワイヤレス端末を構成するために、構成データをワイヤレス端末に提供するようにさらに構成され得る。しかしながら、基地局に関して、通信構成要素５３０は、特定の基地局とのバックホール接続（例えば、Ｓ１またはＸ２インターフェースを介した）を容易にするようにさらに構成され得る。
【００４０】
[0055]  例示されるように、自己最適化ユニット５００は、最適化構成要素５４０および計算構成要素５５０をさらに含み得る。そのような態様内で、最適化構成要素５４０は、少なくとも１つのカバレッジ関連測定値の関数としてカバレッジパラメータを自己最適化するように構成されるのに対して、計算構成要素５５０は、少なくとも１つのカバレッジ関連測定値に基づいてカバレッジ報告を提供するように構成される。特定の態様では、計算構成要素５５０は、カバレッジ報告に含めるべきカバレッジ関連統計値のセットを決定するようにさらに構成される。カバレッジ関連統計値のセットが、例えば、カバレッジ品質（例えば、セルにおけるダウンリンク／アップリンクカバレッジ品質）、受信電力（例えば、受信ダウンリンク／アップリンク電力）、受信干渉電力（例えば、受信ダウンリンク／アップリンク干渉電力）、特定の隣接からの受信ダウンリンク干渉電力、ユーザ機器送信電力、セルジオメトリ、および／またはセルにおける経路損失を含む任意の複数の特性に関連し得ることは留意されるべきである。
【００４１】
[0056]  さらなる態様では、計算構成要素５５０は、少なくとも１つのカバレッジ関連測定値にわたってカバレッジ関連統計値のセットを計算するように構成される。例えば、計算構成要素５５０は、少なくとも１つのカバレッジ関連測定値にわたって平均値、最大値、および／または最小値を計算するように構成され得る。そのような態様内で、計算構成要素５５０は、任意の複数のカバレッジ関連測定値にわたってそのような計算を行うようにさらに構成され得、ここにおいて、そのような測定値は、サービングセルおよび／または隣接セルに関連し得る。例えば、カバレッジ関連測定値が、基準信号受信電力、基準信号受信品質、基準信号強度インジケーション、および／またはユーザ機器送信電力を含み得ることが予期される。計算構成要素５５０はまた、セルジオメトリ、セルにおける経路損失、および／またはユーザ機器の信号対ノイズ比要件の平均化を行うように構成され得る。別の態様では、計算構成要素５５０は、少なくとも１つの隣接セルに関連する干渉係数を計算するようにさらに構成される。
【００４２】
[0057]  ここで、計算構成要素５５０によって提供されるカバレッジ報告が、少なくとも１つのセルによって提供されるカバレッジに関連することは留意される。例えば、少なくとも１つのセルは、サービングセル、隣接セル、および／または拡張隣接セルであり得る。ここで、拡張隣接セルに関して、カバレッジ報告は、拡張隣接セルの特定のセットに関連するカバレッジ情報を含めるように、ネットワークエンティティ（例えば、無線リソースコントローラ）によって設定可能である。例えば、ネットワークエンティティは、カバレッジ報告が、サービングセルから閾値数のホップ内にある拡張隣接セルのセットに関するカバレッジ関連測定値に基づき得ることを必要とし得る。
【００４３】
[0058]  さらなる態様では、計算構成要素５５０によって生成されたカバレッジ報告は、外部エンティティに広められ得る。例えば、通信構成要素５３０は、カバレッジ報告を基地局に通信するようにさらに構成され得る。特定の態様では、カバレッジ報告は、一連のカバレッジ報告に含まれ、ここにおいて、通信構成要素５３０は、この一連のカバレッジ報告を、ある周期（period）に基づいて報告するように構成される。そのような態様内で、この周期は、ネットワークエンティティによって設定可能であり得る。別の態様では、通信構成要素５３０は、トリガイベント（例えば、カバレッジ報告を求める要求）がトリガ構成要素５６０によって検出されたことに基づいてカバレッジ報告を通信するように構成される。ゆえに、この態様の場合、トリガ構成要素５６０は、例えば、カバレッジ報告を求める要求、セル内の負荷が閾値を超えたかどうかについての決定、等を含む任意の複数のトリガイベントを検出するように構成される。
【００４４】
[0059]  次に図６を参照すると、ある態様に係る、分散型カバレッジ最適化を容易にするシステム６００が例示されている。システム６００は、例えば、基地局（例えば、ｅＮＢ、ＨｅＮＢ、等）内に存在し得る。システム６００は、プロセッサ、ソフトウェア、またはこれらの組み合わせ（例えば、ファームウェア）によって実装される機能を表し得る機能ブロックを含み、ここにおいて、システム６００は、連携して動作し得る複数の電気的な構成要素からなる論理グルーピング６０２を含む。例示されるように、論理グルーピング６０２は、少なくとも１つの外部エンティティと通信を確立するための電気的な構成要素６１０を含み得る。さらに、論理グルーピング６０２は、少なくとも１つの外部エンティティからカバレッジ関連測定値を受信するための電気的な構成要素６１２を含み得る。論理グルーピング６０２は、カバレッジ関連測定値の関数としてカバレッジパラメータを自己最適化するための電気的な構成要素６１４も含み得る。追加的に、システム６００は、電気的な構成要素６１０、６１２、および６１４に関連する機能を実行するための命令を保持するメモリ６２０を含むことができる。メモリ６２０の外部にあるように示されているが、電気的な構成要素６１０、６１２、および６１４が、メモリ６２０内に存在し得ることも理解されるべきである。
【００４５】
[0060]  次に図７を参照すると、ある態様にしたがって自己最適化を行うための例となる方法を例示するフローチャートが提供される。例示されるように、プロセス７００は、本明細書のある態様にしたがって基地局（例えば、ｅＮＢ、ＨｅＮＢ、等）によって行われ得る一連の動作を含む。例えば、プロセス７００は、一連の動作を実装するためにコンピュータ可読記憶媒体に記憶されているコンピュータ実行可能な命令を実行するためにプロセッサを用いることによって実装され得る。別の態様では、少なくとも１つのコンピュータに、プロセス７００の動作を実装させるためのコードを備えるコンピュータ可読記憶媒体が予期される。
【００４６】
[0061]  ある態様では、プロセス７００は、外部エンティティ通信が確立される動作７１０から開始する。上述したように、そのような通信は、例えば、ワイヤレス端末または基地局との通信であり得る。通信の確立を受けて、動作７２０において、外部エンティティがワイヤレス端末であるかどうかについての決定が行われる。外部エンティティが、実際、ワイヤレス端末である場合、プロセス７００は、動作７３０においてワイヤレス端末を構成することを経由して進み、ここにおいて、その後、動作７４０において、カバレッジ関連測定値がワイヤレス端末から受信される。そうではなく、外部エンティティがワイヤレス端末でない場合、プロセス７００は、カバレッジ関連測定値が非ワイヤレス端末外部エンティティ（例えば、隣接セルにサービス提供しているｅＮＢ）から受信される動作７４０に直接進む。動作７４０におけるカバレッジ関連測定値の受信を受けて、プロセス７００は、次いで、自己ＣＣＯが、受信されたカバレッジ関連測定値に基づいて行われる動作７５０で終わる。
【００４７】
[0062]  次に図８を参照すると、カバレッジ報告を広めるための例となる方法を例示するフローチャートが提供される。例示されるように、プロセス８００もまた、本明細書のある態様にしたがって基地局（例えば、ｅＮＢ、ＨｅＮＢ、等）によって行われ得る一連の動作を含む。例えば、プロセス８００は、一連の動作を実装するため、コンピュータ可読記憶媒体に記憶されているコンピュータ実行可能な命令を実行するためにプロセッサを用いることによって実装され得る。別の態様では、少なくとも１つのコンピュータに、プロセス８００の動作を実装させるためのコードを備えるコンピュータ可読記憶媒体が予期される。
【００４８】
[0063]  ある態様では、プロセス７００に類似して、プロセス８００は、動作８１０において、基地局に、外部エンティティと通信を確立させることから開始する。次に、動作８２０において、カバレッジ関連測定値が、外部エンティティから（例えば、ワイヤレス端末、ｅＮＢ、ＨｅＮＢ、等から）受信され、動作８３０において、受信されたカバレッジ関連測定値に基づいてカバレッジ報告を生成することがそれに続く。次いで、プロセス８００は、トリガイベントが発生したかどうかについての決定が行われる動作８４０に進む。ここで、動作８４０においてトリガイベントを検出することが、例えば、セルにおける負荷をモニタリングすることを含む、任意の複数のトリガイベントをモニタリングすることを含み得ることに留意されるべきである。トリガイベントが実際検出されると、プロセス８００は、カバレッジ報告が基地局に通信される動作８６０で終わる。そうでなく、トリガイベントが検出されない場合、カバレッジ報告の報告は、既定の周期性に基づき得る。例えば、ある態様では、プロセス８００は、経過期間決定が行われる動作８５０に進む。ここで、カバレッジ報告を通信するための期間が経過している場合、プロセス８００は、動作８５０においてカバレッジ報告が基地局に通信されることで終わる。そうでなく、その期間がいまだ経過していない場合、プロセス８００は、トリガイベントが再度モニタリングされる動作８４０にループバックする。
【００４９】
[0064]  図９は、システム９００の１つまたは複数の基地局による分散更新マネジャ１００２の動作によって、自己組織化ネットワーク（ＳＯＮ）の分散更新を容易にするワイヤレス通信システム９００を例示する。このケースでは、１つまたは複数の基地局は、ＳＯＮと定義され得る。
【００５０】
[0065]  ある態様では、例えば、システム９００は、１つまたは複数の基地局、例えば、基地局９２２、９２４、および／または９２６が、１つまたは複数の通信リンク、例えば、リンク９３２、９３４、および／または９３６、を介してコアネットワークエンティティ９１０と通信状態にある通信ネットワークであり得る。システム９００は、１つまたは複数のユーザ機器（ＵＥ）、例えば、ＵＥ９２４、９４４、および／または９４６、を含み得る。ある態様では、例えば、ＵＥ９４２、９４４、および９４６は、それぞれ、基地局９２２、９２４、および９２６と通信状態にあり得る。追加の態様では、ＵＥ９４２、９４４、および９４６の各々は、ＵＥがたった１つの基地局にキャンプオンしている場合であっても、１つよりも多くの基地局と通信し得る。追加のまたはオプションの態様では、ネットワークエンティティ９１０は、１つのサーバ上に、または、負荷共有および／または失敗のケースにおける冗長性のために複数のサーバ上に存在し得る。
【００５１】
[0066]  ある態様では、基地局９２２、９２４、および／または９２６は、小さいセルで有り得る。「小さいセル」という用語は、本明細書で使用される場合、マクロセルの送信電力および／またはカバレッジエリアと比べて、比較的低い送信電力および／または比較的小さいカバレッジエリアのセルを指す。さらに、「小さいセル」という用語は、フェムトセル、ピコセル、アクセスポイント基地局、ホームノードＢ、フェムトアクセスポイント、またはフェムトセルのようなセルを含み得るがそれらに限定されるわけではない。例えば、マクロセルは、半径数キロメートルを含むがそれに限定されない比較的大きい地理的エリアをカバーし得る。対照的に、ピコセルのような小さいセルは、建物を含むがそれに限定されない比較的小さい地理的エリアをカバーし得る。代替的にまたは追加的に、フェムトセルのような小さいセルもまた、家または建物の１つの階を含むがそれに限定されない比較的小さい地理的エリアをカバーし得る。
【００５２】
[0067]  ある態様では、自己組織化ネットワークの分散更新のための装置および方法が開示される。例えば、ある態様では、本装置および方法は、図４に関連して詳細に上で説明されたように、自己組織化ネットワークの分散更新（例えば、分散型カバレッジおよび容量最適化（ＣＣＯ））を目的とした情報交換に、および／または、交換されている情報のセマンティクスに、および／または、交換されるべき情報を計算することに向けられ得る。
【００５３】
[0068]  ＣＣＯは、オペレータが動的なトラフィック分配、設計上の欠点、および実生活ネットワーク動作制約に対処するのを助けるために、カバレッジと容量との間のトレードオフを効率的に管理する。例えば、基地局の無線周波数（ＲＦ）パラメータは、無線アクセスネットワーク（ＲＡＮ）性能の容量およびカバレッジにおいて、そして最終的には、ユーザのエクスペリエンス品質（ＱｏＥ）において、重要な役割を果たす。ネットワーク性能は、準最適な計画だけでなく、動的な無線環境の影響を受けるため、無線パラメータは、動的に更新または調整されなければならない。これを助けるために、３ＧＰＰは、ネットワークにＣＣＯユースケース（CCO use case）を導入した。ＣＣＯは、カバレッジホールおよび高度なオーバラップを識別し、基地局の無線制御パラメータを調整することによって修正措置を自動的に行う。
【００５４】
[0069]  ある態様では、本開示は、自己組織化ネットワークの分散更新の方法および装置を提供する。例えば、基地局は、ネットワークエンティティから受信されるフィードバックと基地局におけるローカル情報とに基づいて、基地局において１つまたは複数のネットワークパラメータを更新し得る。ネットワークエンティティにおいて受信されるフィードバックは、１つまたは複数の基地局からネットワークエンティティに送信されるデータの一部に基づいて、ネットワークエンティティにおいて決定され得る。
【００５５】
[0070]  例えば、ある態様では、基地局においてネットワークエンティティから受信されるフィードバックは、基地局の１つまたは複数のネットワークパラメータに関する最小値、最大値、または、値の範囲を含み得る。例えば、ネットワークエンティティは、弱いカバレッジの領域を決定し得、基地局が適切なカバレッジを提供するための、基地局の送信電力の下限（例えば、最小値）を決定し得る。基地局は、基地局にとって適切な送信電力を決定するために、ネットワークエンティティから受信された下限値と、基地局における利用可能な他のローカル情報とに基づいて、１つまたは複数のネットワークパラメータを更新し得る。
【００５６】
[0071]  図９に例示されるように、システム９００は、それぞれＵＥ９４２、９４４、および／または９４６にサービス提供し、本明細書で説明される機能を行うために分散更新マネジャ１００２を各々含む複数の基地局９２２、９２４、および／または９２６を含む。例えば、ある態様では、分散更新マネジャ１００２は、ＣＣＯの目的で、基地局９２２、９２４、および／または９２６の間で情報を交換するように構成され得る。ある態様では、基地局９２２、９２４、および／または９２６は、それらが動作するセルにおいて、長期カバレッジ統計値についての情報を直接交換する。そのような態様では、統計値は、基地局９２２、９２４、および／または９２６によって、および／または、基地局９２２、９２４、および／または９２６によって動作されているセルに接続されているワイヤレス端末９４２、９４４、および／または９４６によって収集された測定値を反映する。
【００５７】
[0072]  例えば、情報交換に関する態様では、分散更新マネジャ１００２は、情報を、Ｘ２ ＡＰ（３ＧＰＰ ＴＳ ３６.４２３）またはＳ１ ＡＰ（３ＧＰＰ ＴＳ ３６.４２１）のような標準化プロトコルを使用して基地局間で交換されるべき特定のメッセージ（例えば、ＣＳＩ−カバレッジ統計情報、これは、本明細書で使用される総称である）に含め得る。ある態様では、分散更新マネジャ１００２は、例えば、周期的に（この場合、期間はネットワークオペレータによって設定可能であり得る）、基地局による要求ごとに、および／または、特定の設定可能なイベントによってトリガされたときに（例えば、基地局またはセル内の負荷がある特定の閾値を超えたときに、等）、任意の複数のメカニズムを介して情報を交換し得る。
【００５８】
[0073]  ある態様では、セマンティクスに関連して、分散更新マネジャ１００２が、基地局に、任意の複数の特性を反映したカバレッジ関連統計値を交換させることは留意されるべきである。例えば、ある態様では、そのような統計値は、セルにおけるダウンリンク／アップリンクカバレッジ品質、受信ダウンリンク／アップリンク電力、受信ダウンリンク／アップリンク干渉電力、特定の隣接からの受信ダウンリンク干渉電力、ＵＥ送信電力レベル、セルジオメトリ、および／またはセルにおける経路損失のうちの１つまたは複数を反映し得る。
【００５９】
[0074]  さらなる態様では、分散更新マネジャ１００２は、内部基地局測定値および／またはＵＥ測定報告メッセージ（ＭＲＭ）を使用して、カバレッジ関連統計値を計算し得、ここにおいて、これら統計値が計算される時間スケールは、ネットワークオペレータによって設定され得る。例えば、ある態様では、カバレッジ関連統計値は、例えば、ＵＥ地理的分布、サービングセルおよび隣接セルの負荷、および／またはＵＥモビリティパターンにおける変動のうちの１つまたは複数を含む、任意の複数の変動をカバーするために、十分に長い時間期間にわたって計算され得る。
【００６０】
[0075]  ある態様では、各分散更新マネジャ１００２は、基地局間で交換されるカバレッジ統計値を計算するための標準化メカニズムを含み得る。例えば、交換される各統計値の定義が標準化され得る。代替のまたは追加の態様では、しかしながら、１つまたは複数のカバレッジ統計値を計算するための方法は標準化されないだろう。例えば、ある態様では、平均セルジオメトリは、０から１の間の数と定義され得、ここでは、より低い数が、より低いジオメトリに対応付けられる。この態様の場合、次いで、分散更新マネジャ１００２の動作を通じて基地局は、単純に、その平均ジオメトリを、それがどのようにして計算されるかを示すことなく、０．５と示すことができる。同様に、セル「ｉ」を動作する基地局は、セルｉにおいてセルｊから受ける干渉のレベルを表す干渉係数ＩＣｉ，ｊを、それがどのように計算されるかを示すことなく、通知することができる（例えば、ＩＣｉ，ｊ＝０．５）。このケースでは、標準化され得るものは、各統計値のセマンティクス（例えば、意味）とその範囲（例えば、０から１）である。
【００６１】
[0076]  例えば、上述したように、分散更新マネジャ１００２を動作する基地局は、内部測定値および／またはＵＥ ＭＲＭからカバレッジ統計値を計算し得る。追加的に、分散更新マネジャ１００２を動作する基地局は、その基地局によってサービス提供されるＵＥを、信号品質の測定値を収集および報告するように構成し得る。ある態様では、ＵＥは、サービングセルだけでなく隣接セルの信号品質を測定および報告することができる。例えば、基地局は、サービングセルおよび／または隣接セルの基準信号受信電力（ＲＳＲＰ）レベル、サービングセルおよび／または隣接セルの基準信号受信品質（ＲＳＲＱ）レベル、無線信号強度インジケータ（ＲＳＳＩ）レベル、ＵＥ送信電力レベル、および特定のプロトコル（例えば、３ＧＰＰ ＴＳ ３６.４２３）によって指定された他の測定値のうちの１つまたは複数を測定および報告するようにＵＥを構成し得る。追加的に、測定報告が、周期的なものおよび／またはトリガされるものと構成され得ることは留意されるべきである。
【００６２】
[0077]  図１０を参照すると、本開示の態様における例となる分散更新マネジャ１００２が例示されている。
【００６３】
[0078]  ある態様では、分散更新マネジャ１００２は、自己組織化ネットワークの分散更新のために構成され得る。例えば、ある態様では、基地局９２２、９２４、および／または９２６の各々は、分散更新マネジャ１００２を含むように構成され得る。追加の態様では、（基地局９２２、９２４、および／または９２６の）分散更新マネジャ１００２は、データ送信構成要素１００４、フィードバック受信構成要素１００６、および／またはパラメータ更新構成要素１００８をさらに含むように構成され得る。
【００６４】
[0079]  ある態様では、データ送信構成要素１００４は、基地局において収集されたデータをネットワークエンティティに送信するように構成され得る。例えば、データ送信構成要素１００４は、トランシーバまたは送信機を含み得るかまたはそれとインターフェースし得、および／または、プロセッサによって実行されるソフトウェアまたはファームウェアを含み得、および／または、特別にプログラミングされたプロセッサモジュールを含み得る。例えば、ある態様では、データ送信構成要素１００４は、基地局９２２において収集されたデータをネットワークエンティティ９１０に送信するように構成され得る。追加の態様では、データ送信構成要素１００４は、基地局９２４および／または９２６において収集されたデータをネットワークエンティティ９１０に送信するように構成され得る。図９に関連して上述したように、基地局９２２、９２４、および／または９２６において収集されたデータは、基地局における内部測定値および／またはＵＥから受信されたＭＲＭからカバレッジ統計値を含み得る。
【００６５】
[0080]  例えば、ある態様では、基地局において収集されたデータは、基地局と通信状態にあり得るユーザ機器（ＵＥ）、例えば、ＵＥ９４２、９４４、および／または９４６、から基地局において受信され得る。追加の態様では、基地局は、小さいセルまたはマクロセル、および／または両者の組み合わせであり得る。追加の例となる態様では、ネットワークエンティティ９１０は、自己組織化ネットワークにおいて基地局から送信されるデータを受信する中央サーバを含み得る。
【００６６】
[0081]  ある態様では、基地局と通信状態にあるＵＥから受信されるデータは、何千もの信号報告を含み得る。代替のまたは追加の態様では、１つの基地局において受信されるデータが、１つまたは複数の隣接基地局と通信しているＵＥから受信される、１つまたは複数の隣接基地局からのデータを含み得ることは留意されるべきである。ある態様では、基地局は、ＵＥから受信されたデータ（例えば、シグナリング報告）を集約し（consolidate）、このデータの少なくとも一部を、ネットワークエンティティ９１０、例えば、中央サーバ、に送信し得る。追加の態様では、例えば、基地局は、データの表現、集計（aggregation）、または、数学関数、例えば、ＵＥおよび／または隣接基地局から受信されるシグナリング情報、平均値、を生成し、そのデータの表現、集計、または数学関数をネットワークエンティティ９１０に送り得る。例えば、これは、ネットワークエンティティが、ＳＯＮにおいて基地局によって維持されるローカライズドまたは制限されたビューの代わりに、ネットワークワイドビューを有することを可能にし得る。例えば、ある態様では、ネットワークエンティティ９１０によって維持されるネットワークワイドビューは、１５分程度および／または最大２４時間相当のデータであり、その持続時間は、例えば、ネットワークオペレータによってネットワークエンティティ９１０において設定可能である。
【００６７】
[0082]  ある態様では、フィードバック受信構成要素１００６は、ネットワークエンティティから、基地局のネットワークパラメータ（１つまたは複数）に関連するフィードバックを受信するように構成され得、ここにおいて、ネットワークエンティティから受信されるフィードバックは、１つまたは複数の基地局からネットワークエンティティに送信されるデータに基づいて、ネットワークエンティティにおいて決定される。ある態様では、ネットワークエンティティ９１０は、基地局（例えば、９２２）からネットワークエンティティに送信されるデータに基づいて、基地局（例えば、９２２）に関するフィードバックを決定し得る。追加の態様では、ネットワークエンティティは、基地局に関するフィードバックを決定するために、他の基地局（例えば、９２４および／または９２６）から受信されるデータも考慮し得る。例えば、ある態様では、フィードバック受信構成要素１００６は、トランシーバまたは受信機を含み得るかまたはそれとインターフェースし得、および／または、プロセッサによって実行されるソフトウェアまたはファームウェアを含み得、および／または、特別にプログラミングされたプロセッサモジュールを含み得る。例えば、ある態様では、ネットワークエンティティ９１０から受信されるフィードバックは、基地局、例えば基地局９２２、の１つまたは複数のネットワークパラメータに関連し得る。ある例となる態様では、ネットワークパラメータは、基地局の送信電力、基地局におけるアンテナダウンチルト（antenna down tilt）、基地局における周波数再利用係数のうちの１つまたは複数を含み得る。
【００６８】
[0083]  例えば、ある態様では、ネットワークエンティティ９１０は、基地局によって送信されるデータに基づいて、３ＧＰＰ規格で定義されているドライブテスト最小化（ＭＤＴ）プロシージャにより、自己組織化ネットワークにおけるカバレッジギャップ（coverage gaps）を識別し得る。追加の態様では、ネットワークエンティティ９１０は、基地局のネットワークパラメータに関する最小閾値を決定し、最小閾値を基地局に送信し得る。例えば、ある態様では、基地局９２２は、このカバレッジギャップに対処すべく、基地局の送信電力を最小値（例えば、２００ｍＷ）に更新するためにネットワークエンティティ９１０からフィードバックを受信し得る。オプションのまたは追加の態様では、基地局９２２は、基地局９２２の送信電力を、ネットワークエンティティ９１０から受信された最小閾値以上に更新し得る。
【００６９】
[0084]  ある態様では、パラメータ更新構成要素１００８は、ネットワークエンティティから受信されるフィードバックと、基地局におけるローカル情報とに少なくとも基づいて、基地局における１つまたは複数のネットワークパラメータを更新するように構成され得る。例えば、パラメータ更新構成要素１００８は、プロセッサを含み得るかまたはそれとインターフェースし得、および／または、プロセッサによって実行されるソフトウェアまたはファームウェアを含み得、および／または、特別にプログラミングされたプロセッサモジュールを含み得る。例えば、いくつの態様では、パラメータ更新構成要素１００８は、ネットワークエンティティ９１０から受信されるフィードバックと、基地局９２２において利用可能なローカル情報とに少なくとも基づいて、基地局９２２における１つまたは複数のネットワークパラメータ（例えば、基地局の送信電力、アンテナダウンチルト、および／または周波数再利用係数）を更新するように構成され得る。
【００７０】
[0085]  基地局において利用可能なすべてのデータがネットワークエンティティ９１０に送信されているわけではないため、例えば、パラメータ更新構成要素１００８の動作を通じて基地局９２２は、基地局９２２においてローカルに利用可能であり得る追加のデータに基づいて、基地局９２２の送信電力を更新して、基地局および／またはネットワークエンティティにおける任意の帯域幅および／または処理電力の懸念（concern）を軽減し得る。
【００７１】
[0086]  ある態様では、ローカル情報は、基地局におけるパイロット汚染情報を含み得る。例えば、パイロット汚染情報は、複数の強い干渉源（例えば、サービングセル９２２と比べて、例えば、約５ｄＢまたは設定可能な閾値ぶん比較的強い）を報告するＵＥの数を含み得る。追加の態様では、ローカル情報は、サービング基地局において測定された呼の失敗および／またはハンドオーバの失敗の数を含み得る。例えば、基地局９２２における呼の失敗および／またはハンドオーバの失敗の数が高い（例えば、設定可能な閾値を上回る）場合、呼の失敗および／またはハンドオーバの失敗の原因は、利用可能なローカル情報から決定され得、呼の失敗および／またはハンドオーバの失敗の原因が干渉の増加によるものである場合、基地局（例えば、基地局９２２）における電力が減らされ得る。オプションの態様では、サービングセル選択基準を満たす別の基地局が利用可能でない場合、基地局（例えば、基地局９２２）の電力は減らされない。
【００７２】
[0087]  ある態様では、ＳＯＮの小さいカバレッジエリア内に、多数の基地局、例えば小さいセル、が存在する場合、干渉を減らすためおよび／またはＳＩＮＲ値を改善するために、ＳＯＮの小さいセルのうちのほんのいくつかがそれらの最大電力で送信しており、ＳＯＮの小さいセルのうちの残りのものは、より低い（しかしながら、ネットワークエンティティから受信された最小閾値以上の）電力で送信していることが望まれる。追加の態様では、基地局、例えば小さいセル、が、ネットワークパラメータに関する最小閾値をネットワークエンティティから受信すると、この小さいセルは、追加のパラメータ、例えば、ＳＩＮＲおよび／またはスループット容量、をさらに最適化するようにパラメータ更新構成要素１００８を動作し得、これは、最終的にはより良いユーザエクスペリエンスにつながる。
【００７３】
[0088]  例えば、ある態様では、基地局、例えば基地局９２２、のアンテナが、下向きに傾けられると、基地局は、強いビームを作り出し得、そのエリアにおけるカバレッジをローカライズし得る。しかしながら、基地局のカバレッジエリア全体は縮小され得る。代替的に、基地局、例えば基地局９２２、のアンテナが、高く傾けられるか、または、水平線に向かって傾けられると、基地局カバレッジエリアはより高度になり得る。しかしながら、これは、他の基地局および／またはＵＥとの干渉の増加をもたらし得る。例えば、基地局、例えば基地局９２２、は、アンテナダウンチルトパラメータについての最小値を含むフィードバックを受信し得、パラメータ更新構成要素１００８を動作する基地局は、基地局においてローカルに利用可能であり得る追加のデータに基づいて、ダウンチルトパラメータを、最小値以上の値に更新し得る。
【００７４】
[0089]  別の例となる態様では、基地局、例えば基地局９２２、は、周波数再利用係数を含み得る最小周波数再利用パラメータを含むフィードバックを、ネットワークエンティティ９１０から受信し得る。このケースでは、基地局は、基地局においてローカルに利用可能な情報に基づいて、周波数再利用係数を最小周波数再利用係数以上に更新するようにパラメータ更新構成要素１００８を動作し得る。
【００７５】
[0090]  追加の態様では、周波数再利用パラメータを含むフィードバックは、部分的な周波数再利用（ＦＦＲ）構成を含み得、これは、異なる基地局における特定の優先周波数ブロック（prioritized frequency block）の割当てをさらに含み得る。追加の態様では、ソフトＦＦＲは、異なる基地局における特定の優先周波数ブロックの割当てを含み得、基地局における各優先ブロックは、異なる送信電力制約を有する。例えば、より高いＦＦＲ係数は、基地局におけるより良いカバレッジに帰着し得るが、基地局は、より高い再利用係数でのより高い干渉を考慮し、両方のバランスを保つ値を選択しなければならない。
【００７６】
[0091]  追加の態様では、基地局が、ネットワークパラメータに関する値範囲を含むフィードバックを受信するとき、この範囲は、周波数再利用係数に対する上限および／または下限、ＦＦＲのための優先周波数ブロックの数または優先周波数ブロックの順序リストに対する制約、および／または、周波数ブロックに特有の送信電力レベルに対する制約を含み得る。
【００７７】
[0092]  追加の態様では、例えば、ＳＩＮＲ、データレート、トラフィック条件、ＵＥの特定の位置（例えば、基地局の中央に近いか端に近いか）は、基地局においてローカルに知られている、および／または、自己組織化ネットワークの分散更新のために基地局においてネットワークパラメータを更新するようにパラメータ更新構成要素１００８を動作する際に考慮に入れられ得る。
【００７８】
[0093]  追加の態様では、１つまたは複数の基地局において１つまたは複数のネットワークパラメータを変更するためにネットワークエンティティから受信されるフィードバックは、簡潔さのために最小値の観点から定義され得るが、ネットワークエンティティから受信されるフィードバックは、それぞれのネットワークパラメータに関する最大値および／または値範囲を含み得る。
【００７９】
[0094]  図１１は、自己組織化ネットワークの分散更新のための例となる方法論１１００を例示している。ある態様では、ブロック１１０２において、方法論１１００は、基地局において収集されたデータの一部を、基地局の送信構成要素を介してネットワークエンティティに送信することを含み得、ここにおいて、基地局において収集されたデータは、１つまたは複数の基地局と通信状態にある１つまたは複数のユーザ機器（ＵＥ）から基地局によって受信され、この基地局は、１つまたは複数の基地局のうちの１つである。例えば、ある態様では、基地局９２２、９２４、および／または９２６は、基地局において収集されたデータをネットワークエンティティ９１０に送信するように、分散更新マネジャ１００２および／またはデータ送信構成要素１００４を動作し得る。
【００８０】
[0095]  さらに、ブロック１１０４において、方法論１１００は、ネットワークエンティティから、基地局の１つまたは複数のネットワークパラメータに関連するフィードバックを受信することを含み得、ここにおいて、ネットワークエンティティから受信されるフィードバックは、１つまたは複数の基地局からネットワークエンティティに送信されるデータの一部に少なくとも基づいて、ネットワークエンティティにおいて決定される。例えば、ある態様では、基地局９２２、９２４、および／または９２６は、基地局の１つまたは複数のネットワークパラメータに関連するフィードバックを、ネットワークエンティティ９１０から受信するために、分散更新マネジャ１００２および／またはフィードバック受信構成要素１００６を動作し得る。ある態様では、例えば、ネットワークパラメータは、基地局の送信電力、基地局のアンテナダウンチルト、および／または基地局の周波数再利用係数を含み得る。
【００８１】
[0096]  さらに、ブロック１１０６において、方法論１１００は、ネットワークエンティティから受信されるフィードバックと、基地局におけるローカル情報とに基づいて、基地局において１つまたは複数のネットワークパラメータを更新することを含み得る。例えば、ある態様では、基地局９２２、９２４、および／または９２６は、ネットワークエンティティから受信されるフィードバックと、基地局におけるローカル情報とに基づいて、基地局において１つまたは複数のネットワークパラメータを更新するために、分散更新マネジャ１００２および／またはフィードバック更新構成要素１００８を動作し得る。
【００８２】
[0097]  図１２を参照すると、例となるシステム１２００が、自己組織化ネットワークの分散更新のために表示されている。例えば、システム１２００は、少なくとも部分的に、基地局、例えば、基地局９２２、９２４、および／または９２６（図９）内に存在し得る。システム１２００が、プロセッサ、ソフトウェア、またはこれらの組み合わせ（例えば、ファームウェア）によって実装される機能を表す機能ブロックであり得る機能ブロックを含むものとして表されていることは認識されるべきである。システム１２００は、連携して動作し得る複数の電気的な構成要素の論理グルーピング１２０２を含む。ある態様では、論理グルーピング１２０２は、基地局において収集されたデータの一部をネットワークエンティティに送信するための電気的な構成要素１２０４を含むことができ、ここにおいて、基地局において収集されたデータは、１つまたは複数の基地局と通信状態にある１つまたは複数のユーザ機器（ＵＥ）から基地局によって受信され、この基地局は、１つまたは複数の基地局のうちの１つである。ある態様では、電気的な構成要素１２０４は、データ送信構成要素１００４（図１０）を備え得る。
【００８３】
[0098]  さらに、論理グルーピング１２０２は、基地局の１つまたは複数のネットワークパラメータに関連するフィードバックを、ネットワークエンティティから受信するための電気的な構成要素１２０６を含むことができ、ここにおいて、ネットワークエンティティから受信されるフィードバックは、１つまたは複数の基地局からネットワークエンティティに送信されるデータの一部に少なくとも基づいて、ネットワークエンティティにおいて決定される。例えば、ある態様では、電気的な構成要素１２０６は、フィードバック受信構成要素１００６（図１０）を備え得る。
【００８４】
[0099]  さらに、論理グルーピング１２０２は、ネットワークエンティティから受信されるフィードバックと、基地局におけるローカル情報とに基づいて、基地局において１つまたは複数のネットワークパラメータを更新するための電気的な構成要素１２０８を含むことができる。例えば、ある態様では、電気的な構成要素１２０８は、パラメータ更新構成要素１００８（図１０）を備え得る。
【００８５】
[00100]  加えて、システム１２００は、電気的な構成要素１２０４、１２０６、および１２０８に関連する機能を実行するための命令を保持すること、電気的な構成要素１２０４、１２０６、および１２０８によって使用または取得されるデータを記憶すること、等を行うメモリ１２１０を含むことができる。メモリ１２１０の外部にあるように示されているが、電気的な構成要素１２０４、１２０６、および１２０８のうちの１つまたは複数がメモリ１２１０内に存在し得ることも理解されるべきである。一例では、電気的な構成要素１２０４、１２０６、および１２０８は、少なくとも１つのプロセッサを備え得るか、あるいは、各電気的な構成要素１２０４、１２０６、および１２０８は、少なくとも１つのプロセッサの対応するモジュールであり得る。さらに、追加または代替の例では、電気的な構成要素１２０４、１２０６、および１２０８は、コンピュータ可読媒体を含むコンピュータプログラム製品であり得、この場合、各電気的な構成要素１２０４、１２０６、および１２０８は、対応するコードであり得る。
【００８６】
[00101]  次に図１３を参照すると、自己組織化ネットワークの分散更新を容易にする例となるネットワークが提供される。例示されるように、ネットワーク１３００は、分散更新マネジャ１００２を動作し得る基地局９２２、９２４、および／または９２６であり得る基地局１３１２、１３２２、１３３２、１３４２、１３５２、１３６２、１３７２によってそれぞれサービス提供される複数のセル１３１０、１３２０、１３３０、１３４０、１３５０、１３６０、１３７０を含む。ある態様では、基地局１３１２、１３２２、１３３２、１３４２、１３５２、１３６２、１３７２のいずれかによって確かめられるカバレッジ統計値は、ワイヤレス端末１３８０、１３８２、１３８４、１３８６のいずれかによって提供されるＭＲＭを分析することによって計算される。例えば、ｅＮＢによって計算され、他のｅＮＢと交換される統計値は、ＭＲＭにおいてＵＥによって報告される測定値の直接的な集計であり得る。例えば、そのような計算は、サービングセルの平均／最大／最小の報告ＲＳＲＰ／ＲＳＲＱ／ＲＳＳＩ、各隣接の平均／最大／最小の報告ＲＳＲＰ／ＲＳＲＱ／ＲＳＳＩ、および／またはＵＥの平均／最大／最小の送信電力を含み得る。
【００８７】
[00102]  さらなる態様では、ｅＮＢによって計算され、他のｅＮＢと交換される統計値もまた、ＭＲＭのさらなる分析によって取得され得る。この特定の態様の場合、そのような計算は、例えば、平均セルジオメトリ、セルにおける平均経路損失、セル内のＵＥの平均の信号対ノイズ比要件、および／または各隣接に関する干渉係数を反映し得る。そのようなパラメータの例となる計算は、以下を含み得る：
【数１】
0006545668.tif 000002
【００８８】
[00103]  次に図１４を参照すると、分散更新マネジャ１００２を動作し得る基地局９２２、９２４、および／または９２６であり得る基地局ＩおよびＭによってそれぞれサービス提供され得るセルＩ １４０２、セルＭ １４０４といった複数のセルを含む様々な態様にしたがって実装される例となる通信システム１４００が提供される。ここで、セル境界領域１４６８によって示されるように隣接セル１４０２、１４０４が僅かに重複しており、それによって、それら隣接セル内の基地局によって送信される信号間の信号干渉の可能性を生じさせていることに留意されるべきである。システム１４００の各セル１４０２、１４０４は、３つのセクタを含む。複数のセクタへと分割されていない（Ｎ＝１）セル、２つのセクタ（Ｎ＝２）を有するセル、４以上のセクタ（Ｎ＞３）を有するセルもまた、様々な態様にしたがって可能である。セル１４０２は、第１のセクタ、セクタＩ １４１４、第２のセクタ、セクタＩＩ １４１２、および第３のセクタ、セクタＩＩＩ １４１４を含む。各セクタ１４１４、１４１２、および１４１４は、２つのセクタ境界領域を有し、各境界領域は、２つの隣接セクタ間で共有される。
【００８９】
[00104]  セクタ境界領域は、隣接セクタ内の基地局によって送信される信号間の信号干渉の可能性をもたらす。線１４１６は、セクタＩ １４１４とセクタＩＩ１４１２との間のセクタ境界領域を表し、線１４１８は、セクタＩＩ １４１２とセクタＩＩＩ １４１４との間のセクタ境界領域を表し、線１４２０は、セクタＩＩＩ １４１４とセクタＩ １４１４との間のセクタ境界領域を表す。同様に、セルＭ １４０４は、第１のセクタ、セクタＩ １４２２、第２のセクタ、セクタＩＩ １４２４、および第３のセクタ、セクタＩＩＩ １４２６を含む。線１４２８は、セクタＩ １４２２とセクタＩＩ １４２４との間のセクタ境界領域を表し、線１４３０は、セクタＩＩ １４２４とセクタＩＩＩ １４２６との間のセクタ境界領域を表し、線１４３２は、セクタＩＩＩ １４２６とセクタＩ １４２２との間の境界領域を表す。セルＩ １４０２は、１つの基地局（ＢＳ）、基地局Ｉ １４０６と、各セクタ１４１４、１４１２、１４１４に複数のエンドノード（ＥＮ）とを含む。セクタＩ １４１４は、それぞれワイヤレスリンク１４４０、１４４２を介してＢＳ１４０６に結合されたＥＮ（１）１４３６およびＥＮ（Ｘ）１４３８を含み、セクタＩＩ １４１２は、それぞれワイヤレスリンク１４４８、１４５０を介してＢＳ１４０６に結合されたＥＮ（１’）１４４４およびＥＮ（Ｘ’）１４４６を含み、セクタＩＩＩ １４１４は、それぞれワイヤレスリンク１４５６、１４５８を介してＢＳ１４０６に結合されたＥＮ（１’’）１４５２およびＥＮ（Ｘ’’）１４５４を含む。同様に、セルＭ１４０４は、１つの基地局Ｍ１４０８と、各セクタ１４２２、１４２４、１４２６に複数のエンドノード（ＥＮ）とを含む。セクタＩ １４２２は、それぞれワイヤレスリンク１４４０’、１４４２’を介してＢＳ Ｍ １４０８に結合されたＥＮ（１）１４３６’およびＥＮ（Ｘ）１４３８’を含み、セクタＩＩ １４２４は、それぞれワイヤレスリンク１４４８’、１４５０’を介してＢＳ Ｍ １４０８に結合されたＥＮ（１’）１４４４’およびＥＮ（Ｘ’）１４４６’を含み、セクタ３ １４２６は、それぞれワイヤレスリンク１４５６’、１４５８’を介してＢＳ１４０８に結合されたＥＮ（１’’）１４５２’およびＥＮ（Ｘ’’）１４５４’を含む。
【００９０】
[00105]  システム１４００は、それぞれネットワークリンク１４６２、１４６４を介してＢＳ Ｉ １４０６およびＢＳ Ｍ １４０８に結合されているネットワークノード１４６０をさらに含む。ネットワークノード１４６０は、他のネットワークノード、例えば、他の基地局、ＡＡＡサーバノード、中間ノード、ルータ、等、およびインターネットにネットワークリンク１４６６を介して結合され得る。ネットワークリンク１４６２、１４６４、１４６６は、例えば、光ファイバケーブルであり得る。各エンドノード、例えば、ＥＮ１ １４３６は、送信機および受信機を含むワイヤレス端末であり得る。ワイヤレス端末、例えば、ＥＮ（１）１４３６、は、システム１４００の中を移動し得、このＥＮが現在位置しいているセルにおいて基地局とワイヤレスリンクを介して通信し得る。ワイヤレス端末（ＷＴ）、例えば、ＥＮ（１）１４３６、は、ピアノード、例えば、システム１４００内のまたはシステム１４００外の他のＷＴと、基地局、例えば、ＢＳ １４０６、および／またはネットワークノード１４６０を介して通信し得る。ＷＴ、例えば、ＥＮ（１）１４３６、は、携帯電話、ワイヤレスモデムを有する携帯情報端末、等のモバイル通信デバイスであり得る。それぞれの基地局は、トーンを割り振り、残りのシンボル期間、例えば、非ストリップシンボル期間におけるトーンホッピングを決定するために用いられる方法とは異なる方法を、ストリップシンボル期間に対して使用して、トーンサブセット割振りを行う。ワイヤレス端末は、トーンサブセット割振り方法を、基地局から受信された情報、例えば、基地局スロープＩＤ、セクタＩＤ情報、とともに使用して、特定のストリップシンボル期間においてデータおよび情報を受信するためにそれらが用いることができるトーンを決定する。トーンサブセット割振りシーケンスは、それぞれのトーンにわたってセクタ内干渉およびセル内干渉を拡散するために、様々な態様にしたがって構築される。主題のシステムは、主に、セルラモードの文脈の中で説明されているが、複数のモードが利用可能であり得、本明細書で説明された態様にしたがって用いられ得ることは認識されるべきである。
【００９１】
[00106]  図１５は、様々な態様に係る、例となる基地局１５００を例示しており、これは、分散更新マネジャ１００２を動作し得る基地局９２２、９２４、および／または９２６であり得る。基地局１５００は、トーンサブセット割振りシーケンスを実装し、異なるトーンサブセット割振りシーケンスが、セルのそれぞれの異なるセクタタイプに対して生成される。基地局１５００は、図９のシステム９００の基地局１３２２、１３２４、および／または１３２６、および／または、図１４のシステム１４００の基地局１４０６および／または１４０８のうちのいずれか１つとして、使用され得る。基地局１５００は、様々な要素１５０２、１５０４、１５０６、１５０８、および１５１０がデータおよび情報を交換し得るバス１５０９によって互いに結合された、受信機１５０２、送信機１５０４、プロセッサ１５０６、例えばＣＰＵ、入力／出力インターフェース１５０８、およびメモリ１５１０を含む。
【００９２】
[00107]  受信機１５０２に結合されたセクタ化アンテナ１５０３は、データおよび他の信号、例えば、チャネル報告を、基地局のセル内の各セクタからのワイヤレス端末送信から受信するために使用される。送信機１５０４に結合されたセクタ化アンテナ１５０５は、データおよび他の信号、例えば、制御信号、パイロット信号、ビーコン信号、等を、基地局のセルの各セクタ内のワイヤレス端末１２００（図１２参照）に送信するために使用される。様々な態様では、基地局１５００は、複数の受信機１５０２および複数の送信機１５０４、例えば、各セクタ用の個々の受信機１５０２および各セクタ用の個々の送信機１５０４、を用い得る。プロセッサ１５０６は、例えば、汎用の中央処理装置（ＣＰＵ）であり得る。プロセッサ１５０６は、メモリ１５１０に記憶されている１つまたは複数のルーチン１５１８の指示下で、基地局１５００の動作を制御し、方法を実装する。Ｉ／Ｏインターフェース１５０８は、他のネットワークノードへの接続を提供し、ＢＳ１５００を他の基地局、アクセスルータ、ＡＡＡサーバノード、等、他のネットワーク、およびインターネットに結合する。メモリ１５１０は、ルーチン１５１８およびデータ／情報１５２０を含む。
【００９３】
[00108]  データ／情報１５２０は、データ１５３６と、ダウンリンクストリップシンボル時間情報１５４０およびダウンリンクトーン情報１５４２を含むトーンサブセット割振りシーケンス情報１５３８と、ワイヤレス端末（ＷＴ）１情報１５４６およびＷＴ Ｎ情報１５６０といったＷＴ情報の複数のセットを含むＷＴデータ／情報１５４４とを含む。ＷＴ情報の各セット、例えば、ＷＴ１情報１５４６、は、データ１５４８、端末ＩＤ１５５０、セクタＩＤ１５５２、アップリンクチャネル情報１５５４、ダウンリンクチャネル情報１５５６、およびモード情報１５５８を含む。
【００９４】
[00109]  ルーチン１５１８は、通信ルーチン１５２２および基地局制御ルーチン１５２４を含む。基地局制御ルーチン１５２４は、スケジューラモジュール１５２６と、ストリップシンボル期間用のトーンサブセット割振りルーチン１５３０、残りのシンボル期間、例えば、非ストリップシンボル期間用の他のダウンリンクトーン割振りホッピングルーチン１５３２、およびビーコンルーチン１５３４を含むシグナリングルーチン１５２８とを含む。
【００９５】
[00110]  データ１５３６は、ＷＴに送信する前に符号化するために送信機１５０４のエンコーダ１５１４に送られることとなる、送信されるべきデータと、受信に続き受信機１５０２のデコーダ１５１２を通して処理されたＷＴからの受信データとを含む。ダウンリンクストリップシンボル時間情報１５４０は、スーパースロット、ビーコンスロット、ウルトラスロット構造情報のようなフレーム同期構造情報と、所与のシンボル期間がストリップシンボル期間であるかどうか、そうである場合に、このストリップシンボル期間のインデックス、および、このストリップシンボルが、基地局によって使用されるトーンサブセット割振りシーケンスを切り捨てるための再設定ポイントであるかどうかを特定する情報とを含む。ダウンリンクトーン情報１５４２は、基地局１５００に割り当てられたキャリア周波数、トーンの数および周波数、ストリップシンボル期間に割り振られるトーンサブセットのセット、ならびにスロープ、スロープインデックス、およびセクタタイプのような、他のセルおよびセクタ特有の値を含む情報を含む。
【００９６】
[00111]  データ１５４８は、ＷＴ１ １２００がピアノードから受信したデータ、ピアノードに送信されることをＷＴ１ １２００が望むデータ、および、ダウンリンクチャネル品質報告フィードバック情報を含み得る。端末ＩＤ１５５０は、ＷＴ１ １２００を識別する基地局１５００割当てＩＤである。セクタＩＤ１５５２は、ＷＴ１ １２００が動作しているセクタを識別する情報を含む。セクタＩＤ１５５２は、例えば、セクタタイプを決定するために使用され得る。アップリンクチャネル情報１５５４は、ＷＴ１ １２００が使用するためにスケジューラ１５２６によって割り振られているチャネルセグメント、例えば、データのためのアップリンクトラフィックチャネルセグメント、要求のための専用アップリンク制御チャネル、電力制御、タイミング制御、等、を識別する情報を含む。ＷＴ１ １２００に割り当てられた各アップリンクチャネルは、１つまたは複数の論理トーンを含み、各論理トーンは、アップリンクホッピングシーケンスに従う。ダウンリンクチャネル情報１５５６は、データおよび／または情報をＷＴ１ １２００に搬送するためにスケジューラ１５２６によって割り振られているチャネルセグメント、例えば、ユーザデータのためのダウンリンクトラフィックチャネルセグメント、を特定する情報を含む。ＷＴ１ １２００に割り当てられた各ダウンリンクチャネルは、１つまたは複数の論理トーンを含み、各々は、ダウンリンクホッピングシーケンスに従う。モード情報１５５８は、ＷＴ１ １２００の動作の状態、例えば、スリープ、ホールド、オン、を識別する情報を含む。
【００９７】
[00112]  通信ルーチン１５２２は、様々な通信動作を行い、様々な通信プロトコルを実装するように基地局１５００を制御する。基地局制御ルーチン１５２４は、例えば、信号生成および受信、スケジューリングといった基本の基地局機能タスクを行うように、ならびに、ストリップシンボル期間中にトーンサブセット割振りシーケンスを使用して信号をワイヤレス端末に送信することを含むいくつかの態様の方法のステップを実装するように基地局１５００を制御するために使用される。
【００９８】
[00113]  シグナリングルーチン１５２８は、デコーダ１５１２を有する受信機１５０２の動作と、エンコーダ１５１４を有する送信機１５０４の動作を制御する。シグナリングルーチン１５２８は、送信されるデータ１５３６および制御情報の生成を制御することを担う。トーンサブセット割振りルーチン１５３０は、態様の方法を使用して、および、ダウンリンクストリップシンボル時間情報１５４０およびセクタＩＤ１５５２を含むデータ／情報１５２０を使用して、ストリップシンボル期間に使用されるべきトーンサブセットを構築する。ダウンリンクトーンサブセット割振りシーケンスは、セル内のセクタタイプごとに異なり、隣接セルに対して異なるだろう。ＷＴ１２００は、ダウンリンクトーンサブセット割振りシーケンスにしたがって、ストリップシンボル期間に信号を受信し、基地局１５００は、同じダウンリンクトーンサブセット割振りシーケンスを、送信される信号を生成するために使用する。他のダウンリンクトーン割振りホッピングルーチン１５３２は、ストリップシンボル期間以外のシンボル期間について、ダウンリンクトーン情報１５４２およびダウンリンクチャネル情報１５５６を含む情報を使用して、ダウンリンクトーンホッピングシーケンスを構築する。ダウンリンクデータトーンホッピングシーケンスは、セルの複数のセクタにわたって同期される。ビーコンルーチン１５３４は、例えば、ダウンリンク信号のフレームタイミング構造と、よって、ウルトラスロット境界に対するトーンサブセット割振りシーケンスとを同期するためなどの同期目的で使用され得る、例えば、比較的高い電力の信号が１つのまたは少数のトーンに集中している信号のようなビーコン信号の送信を制御する。
【００９９】
[00114]  図１６は、分散更新マネジャ１００２を動作し得る基地局９２２、９２４、および／または９２６と通信状態にあるＵＥ９４２、０４４、および／または９４６であり得る図１４に示されるシステム１４００のワイヤレス端末（エンドノード）のうちのいずれか１つ、例えば、ＥＮ（１）１４３６、として使用され得る例となるワイヤレス端末（エンドノード）１６００を例示する。ある態様では、ＥＮ（１）１４３６は、ＵＥ１３４２、１３４４、および／または１３４６であり得る。ワイヤレス端末１６００は、トーンサブセット割振りシーケンスを実装する。ワイヤレス端末１６００は、デコーダ１６１６を含む受信機１６０２、エンコーダ１６１４を含む送信機１６０４、プロセッサ１６０６、およびメモリ１６０８を含み、それらは、様々な要素１６０２、１６０４、１６０６、１６０８が、データおよび情報を交換することができるバス１６１０によって互いに結合されている。信号を、例えば、基地局（および／または、異種ワイヤレス端末）から受信するために使用されるアンテナ１６０３は、受信機１６０２に結合される。信号を、例えば、基地局（および／または、異種ワイヤレス端末）に送信するために使用されるアンテナ１６０５は、送信機１６０４に結合される。
【０１００】
[00115]  プロセッサ１６０６、例えばＣＰＵ、は、ワイヤレス端末１６００の動作を制御し、ルーチン１６２０を実行することと、メモリ１６０８内のデータ／情報１６２２を使用することとによって方法を実装する。
【０１０１】
[00116]  データ／情報１６２２は、ユーザデータ１６３４、ユーザ情報１６３６、およびトーンサブセット割振りシーケンス情報１６５０を含む。ユーザデータ１６３４は、送信機１６０４によって基地局に送信する前に符号化するためにエンコーダ１６１４にルーティングされるであろう、ピアノードに向けられたデータと、受信機１６０２内のデコーダ１６１６によって処理された、基地局から受信されたデータとを含み得る。ユーザ情報１６３６は、アップリンクチャネル情報１６３８、ダウンリンクチャネル情報１６４０、端末ＩＤ情報１６４２、基地局ＩＤ情報１６４４、セクタＩＤ情報１６４６、およびモード情報１６４８を含む。アップリンクチャネル情報１６３８は、基地局に送信するときに使用するために、基地局によってワイヤレス端末１６００に割り当てられているアップリンクチャネルセグメントを識別する情報を含む。アップリンクチャネルは、アップリンクトラフィックチャネル、専用アップリンク制御チャネル、例えば、要求チャネル、電力制御チャネル、およびタイミング制御チャネルを含み得る。各アップリンクチャネルは、１つまたは複数の論理トーンを含み、各論理トーンは、アップリンクトーンホッピングシーケンスに従う。アップリンクホッピングシーケンスは、セルの各セクタタイプ間でおよび隣接セル間で異なる。ダウンリンクチャネル情報１６４０は、基地局がデータ／情報をＷＴ１６００に送信するときに使用するために、基地局によってＷＴ１６００に割り当てられたダウンリンクチャネルセグメントを識別する情報を含む。ダウンリンクチャネルは、ダウンリンクトラフィックチャネルおよび割当てチャネルを含み得、各ダウンリンクチャネルは、１つまたは複数の論理トーンを含み、各論理トーンは、セルの各セクタ間で同期されるダウンリンクホッピングシーケンスに従う。
【０１０２】
[00117]  ユーザ情報１６３６もまた、基地局割当て識別情報である端末ＩＤ情報１６４２、ＷＴが通信を確立した特定の基地局を識別する基地局ＩＤ情報１６４４、およびＷＴ１６００が現在位置しているセルの特定のセクタを識別するセクタＩＤ情報１６４６を含む。基地局ＩＤ１６４４は、セルスロープ値を提供し、セクタＩＤ情報１６４６は、セクタインデックスタイプを提供する。セルスロープ値およびセクタインデックスタイプは、トーンホッピングシーケンスを導出するために使用され得る。同様にユーザ情報１６３６に含まれるモード情報１６４８は、ＷＴ１６００が、スリープモードであるか、ホールドモードであるか、オンモードであるかを識別する。
【０１０３】
[00118]  トーンサブセット割振りシーケンス情報１６５０は、ダウンリンクストリップシンボル時間情報１６５２およびダウンリンクトーン情報１６５４を含む。ダウンリンクストリップシンボル時間情報１６５２は、スーパースロット、ビーコンスロット、ウルトラスロット構造情報のようなフレーム同期構造情報と、所与のシンボル期間がストリップシンボル期間であるかどうか、そうであれば、このストリップシンボル期間のインデックスを、および、このストリップシンボルが、基地局によって使用されるトーンサブセット割振りシーケンスを切り捨てるための再設定ポイントであるかどうかを特定する情報とを含む。ダウンリンクトーン情報１６５４は、基地局に割り当てられたキャリア周波数、トーンの数および周波数、ストリップシンボル期間に割り振られるトーンサブセットのセット、ならびにスロープ、スロープインデックス、およびセクタタイプのような、他のセルおよびセクタ特有の値を含む情報を含む。
【０１０４】
[00119]  ルーチン１６２０は、通信ルーチン１６２４およびワイヤレス端末制御ルーチン１６２６を含む。通信ルーチン１６２４は、ＷＴ１６００によって使用される様々な通信プロトコルを制御する。ワイヤレス端末制御ルーチン１６２６は、受信機１６０２および送信機１６０４の制御を含む、基本のワイヤレス端末１６００機能性を制御する。ワイヤレス端末制御ルーチン１６２６は、シグナリングルーチン１６２８を含む。シグナリングルーチン１６２８は、ストリップシンボル期間についてのトーンサブセット割振りルーチン１６３０を含み、残りのシンボル期間、例えば、非ストリップシンボル期間についての他のダウンリンクトーン割振りホッピングルーチン１６３２を含み得る。トーンサブセット割振りルーチン１６３０は、いくつかの態様にしたがって、ダウンリンクトーンサブセット割振りシーケンスを生成し、基地局から送信された受信データを処理するために、ダウンリンクチャネル情報１６４０、基地局ＩＤ情報１６４４、例えば、スロープインデックスおよびセクタタイプ、ならびにダウンリンクトーン情報１６５４を含むユーザデータ／情報１６２２を使用する。他のダウンリンクトーン割振りホッピングルーチン１６３０は、ストリップシンボル期間以外のシンボル期間について、ダウンリンクトーン情報１６５０およびダウンリンクチャネル情報１６４０を含む情報を使用して、ダウンリンクトーンホッピングシーケンスを構築する。トーンサブセット割振りルーチン１６３０は、プロセッサ１６０６によって実行されると、ワイヤレス端末１６００が基地局１１００から１つまたは複数のストリップシンボル信号をいつそしてどのトーンで受信するべきかを決定するために使用される。アップリンクトーン割振りホッピングルーチン１６３０は、それが送信すべきトーンを決定するために、トーンサブセット割振り関数を、基地局から受信された情報とともに使用する。
【０１０５】
[00120]  １つまたは複数の例となる態様では、説明された機能は、ハードウェア、ソフトウェア、ファームウェア、またはこれらの任意の組み合わせで実装され得る。ソフトウェアで実装される場合、これら機能は、コンピュータ可読媒体上で、１つまたは複数の命令またはコードとして、記憶または送信されることができる。コンピュータ可読媒体は、ある箇所から別の箇所へのコンピュータプログラムの移送を容易にする任意の媒体を含むコンピュータ通信媒体およびコンピュータ記憶媒体の両方を含む。記憶媒体は、コンピュータによりアクセスされることができる任意の利用可能な媒体であり得る。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができる任意の他の媒体を備え得る。また、任意の接続は、厳密にはコンピュータ可読媒体と称され得る。例えば、ソフトウェアが、ウェブサイト、サーバ、または他のリモートソースから、同軸ケーブル、光ファイバケーブル、ツイストペア、デジタル加入者回線（ＤＳＬ）、または赤外線、電波、およびマイクロ波のようなワイヤレス技術を使用して送信される場合、同軸ケーブル、光ファイバケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。上記の組み合わせもまた、コンピュータ可読媒体の範囲内に含まれるべきである。
【０１０６】
[00121]  これら態様が、プログラムコードまたはコードセグメントにおいて実装されているとき、コードセグメントが、プロシージャ、関数、サブプログラム、プログラム、ルーチン、サブルーチン、モジュール、ソフトウェアパッケージ、クラス、あるいは命令、データ構造、またはプログラムステートメントの任意の組み合わせを表し得ることは認識されるべきである。コードセグメントは、情報、データ、アーギュメント、パラメータ、またはメモリコンテンツをパスおよび／または受信することによって別のコードセグメントまたはハードウェア回路に結合され得る。情報、アーギュメント、パラメータ、データ、等は、メモリ共有、メッセージパッシング、トークンパッシング、ネットワーク送信、等を含む任意の適切な手段を使用して、パス、転送、または送信され得る。追加的に、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組み合わせ、あるいはセットとして存在し得る。
【０１０７】
[00122]  ソフトウェア実装形態の場合、本明細書で説明された技法は、本明細書で説明された機能を行うモジュール（例えば、プロシージャ、関数、等）で実装され得る。ソフトウェアコードは、メモリユニットに記憶され、プロセッサによって実行され得る。メモリユニットは、プロセッサ内にまたはプロセッサの外側に実装され得、後者のケースでは、それは、当技術分野で知られている様々な手段を介してプロセッサに通信的に結合され得る。
【０１０８】
[00123]  ハードウェア実装形態の場合、処理ユニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明された機能を行うように設計された他の電子ユニット、あるいはこれらの組み合わせ内に実装され得る。
【０１０９】
[00124]  上述されたものは、１つまたは複数の態様の例を含む。当然ながら、前述の態様を説明する目的で構成要素または方法論を達成し得るすべての組み合わせを説明することは可能ではなく、当業者であれば、様々な態様の多くのさらなる組み合わせまたは並び換えが可能であることを認識するだろう。したがって、説明された態様は、添付の特許請求の範囲の精神および範囲の範囲内にあるそのようなすべての代替例、変更例、変形例を包含することが意図される。さらに、詳細な説明または特許請求の範囲のいずれかで「含む」という用語が使用される限りにおいて、そのような用語は、特許請求の範囲で用いられる場合には「備える」は移行語と解釈されるため、「備える」という用語に類似した手法で包括的であることが意図される。
【０１１０】
[00125]  本明細書で使用される場合、「推論する」または「推論」という用語は概して、イベントおよび／またはデータを介して獲得された観察のセットから、システム、環境、および／またはユーザの状態について推理するまたは推論するプロセスを指す。推論は、例えば、特定の文脈またはアクションを識別するために用いられることができるか、または複数の状態にわたる確率分布を生成することができる。この推論は、確率的、すなわち、データおよびイベントの考察に基づいた対象の複数の状態にわたる確率分布の計算、であり得る。推論は、イベントおよび／またはデータのセットからより高いレベルのイベントを構成するために用いられる技法を指すこともある。そのような推論は、イベントが時間的に極めて近くで相関していようと、イベントおよびデータが１つのイベントおよびデータソースに由来しようと、いくつかのイベントおよびデータソースに由来しようと、観察されたイベントのセットおよび／または記憶されたイベントデータからの新しいイベントまたはアクションの構築に帰着する。
【０１１１】
[00126]  さらに、本願で使用される場合、「構成要素」、「モジュール」、「システム」、等の用語は、ハードウェア、ファームウェア、ハードウェアとソフトウェアの組み合わせ、ソフトウェア、または実行中のソフトウェアのいずれかであるコンピュータ関連エンティティを指すように意図されている。例えば、構成要素は、プロセッサで実行中の処理、プロセッサ、オブジェクト、実行ファイル、実行スレッド、プログラム、および／またはコンピュータであることができるが、これらに限定されるものではない。例示として、コンピューティングデバイスで実行中のアプリケーションと、そのコンピューティングデバイスとは両方とも、構成要素であり得る。１つまたは複数の構成要素は、プロセスおよび／または実行スレッド内に存在することができ、１つの構成要素は、１つのコンピュータにローカライズされることおよび／または２つ以上のコンピュータ間で分散されることができる。加えて、これらの構成要素は、様々なデータ構造が記憶されている様々なコンピュータ可読媒体から実行されることができる。これら構成要素は、例えば、１つまたは複数のデータパケット（例えば、ローカルシステムにおいて別の構成要素と、分散システムにおいて別の構成要素と、および／または、インターネットのようなネットワークにわたって信号を介して他のシステムと相互動作する１つの構成要素からのデータ）を有する信号にしたがって、ローカルおよび／またはリモートプロセスを介して通信することができる。
以下に、本願の出願当初の特許請求の範囲に記載された発明を付記する。
［Ｃ１］
自己組織化ネットワークの分散更新のための方法であって、
基地局において収集されたデータの一部を、前記基地局の送信構成要素を介してネットワークエンティティに送信することと、ここにおいて、前記基地局において収集された前記データは、１つまたは複数の基地局と通信状態にある１つまたは複数のユーザ機器（ＵＥ）から前記基地局によって受信され、前記基地局は、前記１つまたは複数の基地局のうちの１つである、
前記ネットワークエンティティから、前記基地局の１つまたは複数のネットワークパラメータに関連するフィードバックを受信することと、ここにおいて、前記ネットワークエンティティから受信される前記フィードバックは、前記１つまたは複数の基地局から前記ネットワークエンティティに送信される前記データの一部に少なくとも基づいて、前記ネットワークエンティティにおいて決定される、
前記ネットワークエンティティから受信される前記フィードバックと、前記基地局におけるローカル情報とに基づいて、前記基地局において前記１つまたは複数のネットワークパラメータを更新することと
を備える方法。
［Ｃ２］
前記１つまたは複数のネットワークパラメータは、前記基地局の送信電力、前記基地局のアンテナダウンチルト、および周波数再利用係数のうちの少なくとも１つを備える、Ｃ１に記載の方法。
［Ｃ３］
前記１つまたは複数のネットワークパラメータに関する前記フィードバックは、最小値、最大値、および範囲のうちの少なくとも１つを備える、Ｃ１に記載の方法。
［Ｃ４］
前記１つまたは複数のネットワークパラメータに関する前記最小値は、前記１つまたは複数の基地局から送信される前記データの一部に少なくとも基づいて、前記自己組織化ネットワークにおいてカバレッジギャップを検出することに応答して前記ネットワークエンティティによって決定される、Ｃ３に記載の方法。
［Ｃ５］
前記基地局の送信電力を、前記最小値と、前記基地局において前記１つまたは複数のＵＥから収集されたデータとに基づいた値に設定することをさらに備える、Ｃ３に記載の方法。
［Ｃ６］
前記基地局において収集された前記データは、前記基地局にキャンプオンしているＵＥの数、前記基地局にキャンプオンにしている前記ＵＥのロケーション、前記基地局にキャンプオンしている前記１つまたは複数のＵＥの信号対干渉およびノイズ比（ＳＩＮＲ）、および前記基地局に対する前記１つまたは複数のＵＥの経路損失、のうちの１つまたは複数を備える、Ｃ５に記載の方法。
［Ｃ７］
前記基地局における前記ローカル情報に基づいて前記１つまたは複数のネットワークパラメータを更新することは、パイロット汚染、呼の失敗、およびハンドオーバの失敗のうちの１つまたは複数に関する、前記基地局における情報に基づいて、前記１つまたは複数のネットワークパラメータを更新することを含む、Ｃ１に記載の方法。
［Ｃ８］
自己組織化ネットワークの分散更新のための装置であって、
前記基地局において収集されたデータの一部をネットワークエンティティに送信するための手段と、ここにおいて、前記基地局において収集された前記データは、１つまたは複数の基地局と通信状態にある１つまたは複数のユーザ機器（ＵＥ）から前記基地局によって受信され、前記基地局は、前記１つまたは複数の基地局のうちの１つである、
前記ネットワークエンティティから、前記基地局の１つまたは複数のネットワークパラメータに関連するフィードバックを受信するための手段と、ここにおいて、前記ネットワークエンティティから受信される前記フィードバックは、前記１つまたは複数の基地局から前記ネットワークエンティティに送信される前記データの一部に少なくとも基づいて、前記ネットワークエンティティにおいて決定される、
前記ネットワークエンティティから受信される前記フィードバックと、前記基地局におけるローカル情報とに基づいて、前記基地局において前記１つまたは複数のネットワークパラメータを更新するための手段と
を備える装置。
［Ｃ９］
前記１つまたは複数のネットワークパラメータは、前記基地局の送信電力、前記基地局のアンテナダウンチルト、および周波数再利用係数のうちの少なくとも１つを備える、Ｃ８に記載の装置。
［Ｃ１０］
前記１つまたは複数のネットワークパラメータに関する前記フィードバックは、最小値、最大値、および範囲のうちの少なくとも１つを備える、Ｃ８に記載の装置。
［Ｃ１１］
前記１つまたは複数のネットワークパラメータに関する前記最小値は、前記１つまたは複数の基地局から送信される前記データの一部に少なくとも基づいて、前記自己組織化ネットワークにおいてカバレッジギャップを検出することに応答して前記ネットワークエンティティによって決定される、Ｃ１０に記載の装置。
［Ｃ１２］
前記基地局の送信電力を、前記最小値と、前記基地局において前記１つまたは複数のＵＥから収集されたデータとに基づいた値に設定するための手段をさらに備える、Ｃ１０に記載の装置。
［Ｃ１３］
前記基地局において収集された前記データは、前記基地局にキャンプオンしているＵＥの数、前記基地局にキャンプオンにしている前記ＵＥのロケーション、前記基地局にキャンプオンしている前記１つまたは複数のＵＥの信号対干渉およびノイズ比（ＳＩＮＲ）、および前記基地局に対する前記１つまたは複数のＵＥの経路損失、のうちの１つまたは複数を備える、Ｃ１２に記載の装置。
［Ｃ１４］
自己組織化ネットワークの分散更新のためのコンピュータプログラム製品であって、
基地局において収集されたデータの一部を、前記基地局の送信構成要素を介してネットワークエンティティに送信することと、ここにおいて、前記基地局において収集された前記データは、１つまたは複数の基地局と通信状態にある１つまたは複数のユーザ機器（ＵＥ）から前記基地局によって受信され、前記基地局は、前記１つまたは複数の基地局のうちの１つである、
前記ネットワークエンティティから、前記基地局の１つまたは複数のネットワークパラメータに関連するフィードバックを受信することと、ここにおいて、前記ネットワークエンティティから受信される前記フィードバックは、前記１つまたは複数の基地局から前記ネットワークエンティティに送信される前記データの一部に少なくとも基づいて、前記ネットワークエンティティにおいて決定される、
前記ネットワークエンティティから受信される前記フィードバックと、前記基地局におけるローカル情報とに基づいて、前記基地局において前記１つまたは複数のネットワークパラメータを更新することと
を行うためにコンピュータによって実行可能なコードを備えた非一時的コンピュータ可読媒体を備えるコンピュータプログラム製品。
［Ｃ１５］
前記１つまたは複数のネットワークパラメータは、前記基地局の送信電力、前記基地局のアンテナダウンチルト、および周波数再利用係数のうちの少なくとも１つを備える、Ｃ１４に記載のコンピュータプログラム製品。
［Ｃ１６］
前記１つまたは複数のネットワークパラメータに関する前記フィードバックは、最小値、最大値、および範囲のうちの少なくとも１つを備える、Ｃ１４に記載のコンピュータプログラム製品。
［Ｃ１７］
前記１つまたは複数のネットワークパラメータに関する前記最小値は、前記１つまたは複数の基地局から送信される前記データの一部に少なくとも基づいて、前記自己組織化ネットワークにおいてカバレッジギャップを検出することに応答して前記ネットワークエンティティによって決定される、Ｃ１６に記載のコンピュータプログラム製品。
［Ｃ１８］
前記基地局の送信電力を、前記最小値と、前記基地局において前記１つまたは複数のＵＥから収集されたデータとに基づいた値に設定するためのコードをさらに備える、Ｃ１６に記載のコンピュータプログラム製品。
［Ｃ１９］
前記基地局において収集された前記データは、前記基地局にキャンプオンしているＵＥの数、前記基地局にキャンプオンにしている前記ＵＥのロケーション、前記基地局にキャンプオンしている前記１つまたは複数のＵＥの信号対干渉およびノイズ比（ＳＩＮＲ）、および前記基地局に対する前記１つまたは複数のＵＥの経路損失のうちの１つまたは複数を備える、Ｃ１８に記載のコンピュータプログラム製品。
［Ｃ２０］
自己組織化ネットワークの分散更新のための装置であって、
前記基地局において収集されたデータの一部をネットワークエンティティに送信するためのデータ送信構成要素と、ここにおいて、前記基地局において収集された前記データは、１つまたは複数の基地局と通信状態にある１つまたは複数のユーザ機器（ＵＥ）から前記基地局によって受信され、前記基地局は、前記１つまたは複数の基地局のうちの１つである、
前記ネットワークエンティティから、前記基地局の１つまたは複数のネットワークパラメータに関連するフィードバックを受信するためのフィードバック受信構成要素と、ここにおいて、前記ネットワークエンティティから受信される前記フィードバックは、前記１つまたは複数の基地局から前記ネットワークエンティティに送信される前記データの一部に少なくとも基づいて、前記ネットワークエンティティにおいて決定される、
前記ネットワークエンティティから受信される前記フィードバックと、前記基地局におけるローカル情報とに基づいて、前記基地局において前記１つまたは複数のネットワークパラメータを更新するためのパラメータ更新構成要素と
を備える装置。
［Ｃ２１］
前記パラメータ更新構成要素は、前記基地局の送信電力、前記基地局のアンテナダウンチルト、および周波数再利用係数のうちの少なくとも１つを含む前記１つまたは複数のネットワークパラメータを更新するように構成される、Ｃ２０に記載の装置。
［Ｃ２２］
前記フィードバック受信構成要素は、最小値、最大値、および範囲のうちの少なくとも１つを含む前記フィードバックを受信するように構成される、Ｃ２０に記載の装置。
［Ｃ２３］
前記１つまたは複数のネットワークパラメータに関する前記最小値は、前記１つまたは複数の基地局から送信される前記データの一部に少なくとも基づいて、前記自己組織化ネットワークにおいてカバレッジギャップを検出することに応答して前記ネットワークエンティティによって決定される、Ｃ２２に記載の装置。
［Ｃ２４］
前記パラメータ更新構成要素は、前記基地局の送信電力を、前記最小値と、前記基地局において前記１つまたは複数のＵＥから収集されたデータとに基づいた値に更新するように構成される、Ｃ２２に記載の装置。
［Ｃ２５］
前記基地局において収集された前記データは、前記基地局にキャンプオンしているＵＥの数、前記基地局にキャンプオンにしている前記ＵＥのロケーション、前記基地局にキャンプオンしている前記１つまたは複数のＵＥの信号対干渉およびノイズ比（ＳＩＮＲ）、および前記基地局に対する前記１つまたは複数のＵＥの経路損失、うちの１つまたは複数を備える、Ｃ２４に記載の装置。
［Ｃ２６］
前記パラメータ更新構成要素は、パイロット汚染、呼の失敗、およびハンドオーバの失敗のうちの１つまたは複数に関する、前記基地局における情報を含む前記基地局における前記ローカル情報に基づいて前記１つまたは複数のネットワークパラメータを更新するように構成される、Ｃ２０に記載の装置。
【図１】
0006545668.tif 000003
【図２】
0006545668.tif 000004
【図３】
0006545668.tif 000005
【図４】
0006545668.tif 000006
【図５】
0006545668.tif 000007
【図６】
0006545668.tif 000008
【図７】
0006545668.tif 000009
【図８】
0006545668.tif 000010
【図９】
0006545668.tif 000011
【図１０】
0006545668.tif 000012
【図１１】
0006545668.tif 000013
【図１２】
0006545668.tif 000014
【図１３】
0006545668.tif 000015
【図１４】
0006545668.tif 000016
【図１５】
0006545668.tif 000017
【図１６】
0006545668.tif 000018